(57)【特許請求の範囲】
【請求項１】
アクセス・ポイントを含んでいてネットワーク通信技術に従って動作する無線通信ネットワークを使用する方法であって、
該アクセス・ポイントからのリソース配分によって潜在的に干渉される１又は複数の異種の通信技術を判定手段が判定すること、
該１又は複数の異種の通信技術のそれぞれについての型を供給手段が供給すること、及び
該１又は複数の異種の通信技術との干渉を緩和するために該１又は複数の異種の通信技術のそれぞれの型に応答して決定される該アクセス・ポイントからリソース配分を受領手段が受領すること
を具備することを特徴とする方法。
【請求項２】
該ネットワーク通信技術を使用して通信する無線機と同じ場所に配置された該１又は複数の異種の通信技術の内の少なくとも１つを使用して通信する無線機の存在を判定手段が判定することを更に具備し、該１又は複数の異種の通信技術のそれぞれについての該型を供給することは該同じ場所に配置された無線機の存在を判定することに少なくとも部分的に基づく、請求項１の方法。
【請求項３】
該１又は複数の異種の通信技術の内の少なくとも１つを使用して通信する１又は複数の機器から信号を受信手段が受信することを更に具備し、該１又は複数の異種の通信技術のそれぞれについての該型を該供給することは該１又は複数の機器から信号を受信することに少なくとも部分的に基づく、請求項１の方法。
【請求項４】
該異種の通信技術は指定の周波数で動作し、該潜在的な干渉は、該リソース配分の第ｎ次高調波生成物を含む、請求項１の方法。
【請求項５】
該１又は複数の異種の通信技術を用いる利用のために特定される、リソースのセットの表示を供給手段が供給することをさらに具備し、該受領されたリソース配分は、該リソースのセットの該供給された表示に応答してさらに決定される、請求項１の方法。
【請求項６】
該１又は複数の異種の通信技術を使用して通信する１又は複数の機器から、リソースの該セットの表示を受信手段が受信することを更に具備する、請求項５の方法。
【請求項７】
該１又は複数の異種の通信技術を使用して通信する１又は複数の機器から受信される１又は複数の信号に少なくとも部分的に基づいて、リソースの該セットの該表示を生成手段が生成することを更に具備する、請求項５の方法。
【請求項８】
該１又は複数の異種の通信技術を使用して通信する同じ場所に配置された無線機によって利用されるリソースに少なくとも部分的に基づいて、リソースの該セットの表示を生成手段が生成することを更に具備する、請求項７の方法。
【請求項９】
該１又は複数のパラメータを供給することは、該１又は複数の異種の通信技術を使用する機器がその間信号を送信する測定ギャップを供給手段が供給することを含む、請求項１の方法。
【請求項１０】
該リソース配分を受領することは、該１又は複数の異種の通信技術に潜在的に干渉するリソース上の狭い帯域の配分を具備するリソース配分を受領手段が受領することを含む、請求項１の方法。
【請求項１１】
該１又は複数のパラメータを供給することは、該１又は複数の異種の通信技術の機器が通信している期間の間における低い電力ヘッドルームを該アクセス・ポイントに通報手段が通報することを含む、請求項１０の方法。
【請求項１２】
該１又は複数のパラメータを供給することは、全地球測位システム（global positioning system）（ＧＰＳ）に関する１又は複数のパラメータを、該アクセス・ポイントからのリソース配分がスペクトル・リグロース若しくは第２高次波次数においてＧＰＳ通信技術に潜在的に干渉する場合、供給手段が供給することを含む、請求項１の方法。
【請求項１３】
該１又は複数のパラメータを供給することは、ＭｅｄｉａＦＬＯ通信技術に関する１又は複数のパラメータを、該アクセス・ポイントからのリソース配分がＭｅｄｉａＦＬＯ通信に潜在的に干渉する場合、供給手段が供給することを含む、請求項１の方法。
【請求項１４】
該１又は複数のパラメータを供給することは、デジタル・ビデオ・ブロードキャスティングーハンドヘル（ＤＶＢ−Ｈ）通信技術に関する１又は複数のパラメータを、該アクセス・ポイントからのリソース配分がＤＶＢ−Ｈ通信に潜在的に干渉する場合、供給手段が供給することを含む、請求項１の方法。
【請求項１５】
ネットワーク通信技術に従ってアクセス・ポイントと通信するための手段と、
該アクセス・ポイントからのリソース配分によって潜在的に干渉される１つ又は複数の異種の通信技術を判定するための手段と、
該１つ又は複数の異種の通信技術の型を該アクセス・ポイントに通信するための手段と、
該１又は複数の異種の通信技術のと干渉を緩和するように該１つ又は複数の異種の通信技術のそれぞれの型に応答して決定された該アクセス・ポイントからリソース配分を受領するための手段と、
を具備する装置。
【請求項１６】
該１又は複数のパラメータは該異種の通信技術の表示を含む、請求項１５の装置。
【請求項１７】
該異種の通信技術を使用して通信する同じ場所に配置された無線機の存在を判定するための手段を更に具備し、該表示は該同じ場所に配置された無線機の該存在を判定することに基づく、請求項１６の装置。
【請求項１８】
該異種の通信技術を使用して通信する１又は複数の機器から１又は複数の信号を受信するための手段を更に具備し、該表示は該１又は複数の信号を受信することに基づく、請求項１６の装置。
【請求項１９】
該１又は複数のパラメータは該異種の通信技術を使用して通信する機器によって利用されるリソースのセットを含む、請求項１５の装置。
【請求項２０】
該異種の通信技術を使用して通信する１又は複数の機器からリソースの該セットの表示を受領するための手段を更に具備する、請求項１９の装置。
【請求項２１】
コンピュータ・プログラムであって、
アクセス・ポイントからのリソース配分によって潜在的に干渉される１又は複数の異種の通信技術を、少なくとも１つのコンピュータに、判定させるためのコードと、
該少なくとも１つのコンピュータに、該１つ又は複数の異種の通信技術のそれぞれの型を供給させるためのコードと、
該１つ又は複数の異種の通信技術との干渉を緩和するために該１つ又は複数の異種の通信技術のそれぞれの型に応答して決定された該アクセス・ポイントから、リソース配分を該少なくとも１つのコンピュータに受領させるためのコードと、
を具備するコンピュータ・プログラム。
【請求項２２】
該１又は複数のパラメータは該１又は複数の異種の通信技術のそれぞれの型を含む、請求項２１のコンピュータ・プログラム。
【請求項２３】
ネットワーク通信技術に従って動作する無線通信ネットワークを使用する方法であって、
該無線通信ネットワークにおけるリソース配分によって潜在的に干渉される１つ又は複数の異種の通信技術のそれぞれについての型を受信手段がを受信ことと、
該１又は複数の異種の通信技術との干渉を緩和するために、該１つ又は複数の異種の通信技術のそれぞれの受信された型に基づいて該無線通信ネットワーク内のモバイル装置のためのリソース配分を生成手段が生成することと、
を具備する方法。
【請求項２４】
該リソース配分を生成することは、該１又は複数のリソースとは異なるリソースのセットを該リソース配分のために選択手段が選択することを含む、請求項２３の方法。
【請求項２５】
該リソース配分を生成することは、該１又は複数のリソースにおいて且つ該１又は複数のリソースにおける期間とは異なる期間にわたって利用される周波数帯域上でリソースのセットを選択手段が選択することを含む、請求項２３の方法。
【請求項２６】
該リソース配分を該生成することは、該１又は複数のリソースを直接干渉する又はスペクトル・リグロース若しくは高調波生成物上で干渉する周波数帯のサブセット上で、狭い周波数帯配分を生成手段が生成することを含む、請求項２３の方法。
【請求項２７】
該１又は複数のリソースを決定することは、リソース配分を生成する場合、該１又は複数の異種の通信技術で通信するために使用されるリソースを避けるための要求を、該モバイル装置から、受領手段が受領することを含む、請求項２３の方法。
【請求項２８】
該１又は複数のリソースを決定することは、該１又は複数の異種の通信技術で通信するために利用される該１又は複数のリソースの表示を、該モバイル装置から、受領手段が受領することを含む、請求項２３の方法。
【請求項２９】
該１又は複数のリソースを決定することは、該１又は複数の異種の通信技術での通信がその間に行われる測定ギャップを該モバイル装置から受領手段が受領することを含む、請求項２３の方法。
【請求項３０】
該１又は複数のリソースを決定することは、該１又は複数のリソースに関連する期間における低いヘッドルームの通報を該モバイル装置から受領手段が受領することを含み、そして、該リソース配分を生成することは、該期間中該モバイル装置に対して、該１又は複数のリソースに関連する周波数リソースの狭い帯域を配分手段が配分することを含む、請求項２３の方法。
【請求項３１】
該１又は複数の異種の通信技術の内の１つは全地球測位システム（global positioning system）（ＧＰＳ）技術、ＭｅｄｉａＦＬＯ技術、又は、デジタル・ビデオ・ブロードキャスティングーハンドヘルド（ＤＶＢ−Ｈ）技術である、請求項２３の方法。
【請求項３２】
ネットワーク通信技術に従って無線通信ネットワーク内のモバイル装置から通信を受信するための手段を具備する装置であって、
該無線通信ネットワークにおけるリソース配分によって潜在的に干渉される１又は複数の異種の通信技術のそれぞれの型を受信するための手段と、
該１又は複数の異種の通信技術との干渉を緩和するために該１又は複数の異種の通信技術の該受信された型に基づいてモバイル装置のためにリソース配分を生成するための手段と、
をさらに具備することを特徴とする装置。
【請求項３３】
該リソース配分は、該１又は複数の異種の通信技術によって通信するために利用されるリソースとは異なるリソースのセットを含む、請求項３２の装置。
【請求項３４】
該リソース配分は、該１又は複数の異種の通信技術によって通信するために利用されるリソースにおいて使用される周波数帯上にあり、且つ、該１又は複数の異種の通信技術によって通信するために利用されるリソースにおける期間とは異なる期間上にある、リソースのセットを含む、請求項３２の装置。
【請求項３５】
該リソース配分は、該１又は複数の異種の通信技術での通信と潜在的に干渉するリソース中の周波数帯のサブセット上における狭い周波数帯の配分である、請求項３２の装置。
【請求項３６】
該１又は複数のパラメータは該モバイル装置によって受信され、そして、該１又は複数の異種の通信技術によって利用されるリソースを避けるための要求を含む、請求項３２の装置。
【請求項３７】
少なくとも１つのコンピュータに、請求項１−１４のうちの１つまたは請求項２３−３１のうちの１つによる方法を実行させるためのコードを具備するコンピュータ・プログラム。
【発明の詳細な説明】
【技術分野】
【０００１】
［相互参照］
本特許出願は、２００８年９月１２日に提出された、“ＳＩＧＮＡＬＩＮＧ  ＭＥＴＨＯＤＳ  ＴＯ  ＥＮＡＢＬＥ  ＳＩＭＵＬＴＡＮＥＯＵＳ  ＵＰＬＩＮＫ  ＴＲＡＮＳＭＩＳＳＩＯＮ  ＡＮＤ  ＧＰＳ  ＲＥＣＥＰＴＩＯＮ”と題する米国特許仮出願番号第６１／０９６，５９３号、及び、２００８年９月１９日に提出された、“ＳＩＧＮＡＬＩＮＧ  ＭＥＴＨＯＤＳ  ＴＯ  ＥＮＡＢＬＥ  ＳＩＭＵＬＴＡＮＥＯＵＳ  ＵＰＬＩＮＫ  ＴＲＡＮＳＭＩＳＳＩＯＮ  ＡＮＤ  ＧＰＳ  ＲＥＣＥＰＴＩＯＮ”と題する米国特許仮出願番号第６１／０９８，７３６号に優先権を主張する。これ等の仮出願の全体は参照により本出願に組み込まれている。
【０００２】
本開示は一般に無線通信に係り、更に具体的には、異種の諸技術を通じて通信する際に干渉を管理することに関する。
【背景技術】
【０００３】
無線通信システムは、例えば、音声、データ、等々のような多様な型の通信コンテントを提供するために広く配備されている。一般的な無線通信システムは、利用可能なシステム・リソース（例えば、帯域幅、送信電力、…）を共有することによって、複数の利用者との通信をサポートする能力を備える多元接続システムであることができる。このような多元接続システムの実例は符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交周波数分割多元接続（Orthogonal Frequency Division Multiple Access）（ＯＦＤＭＡ）システム、及び類似のシステムを含むことができる。更に前記諸システムは第３世代パートナーシップ・プロジェクト（3rd Generation Partnership Project）（３ＧＰＰ）、３ＧＰＰロング・ターム・エボリューション（Long Term Evolution）（ＬＴＥ）、ウルトラ・モバイル・ブロードバンド（Ultra Mobile Broadband）（ＵＭＢ）、等々のような諸規格に準拠することができる。
【０００４】
一般には、無線多元接続通信システムは複数のモバイル装置に対する通信を同時にサポートすることができる。それぞれのモバイル装置は順方向リンク及び逆方向リンク上の伝送を通じて１又は複数のアクセス・ポイント（access points）（例えば、基地局、フェムトセル（femtocells）、ピコセル（picocells）、中継ノード（relay nodes）、及び／又は類似の接続点）と通信することができる。順方向リンク（又はダウンリンク）はアクセス・ポイントからモバイル装置への通信回線を指し、そして逆方向リンク（又はアップリンク）はモバイル装置からアクセス・ポイントへの通信回線を指す。更に、モバイル装置とアクセス・ポイント間の通信は単一入力単一出力（single-input single-output）（ＳＩＳＯ）システム、多重入力単一出力（multiple-input single-output）（ＭＩＳＯ）システム、多重入力多重出力（multiple-input multiple -output）（ＭＩＭＯ）システム、等々を通じて確立させることができる。更に、ピア・ツー・ピア無線ネットワーク構成では、モバイル装置は、他のモバイル装置と（及び／又はアクセス・ポイントは他のアクセス・ポイントと）通信することができる。
【０００５】
アクセス・ポイントはアップリンクを通じて通信するためにモバイル装置に対して周波数を割り当てることができる。しかし、いくつかの実例では、割り当てられた周波数が、異種の通信技術を使用する周辺の機器に干渉を引き起こすことがあり得る。例えば、全地球測位システム（ＧＰＳ）機器は、ＧＰＳ技術を容易にするために、１．５ギガヘルツ（ＧＨｚ）周辺の帯域を通じて信号を受信する。ある複数の無線通信ネットワークは、アクセス・ポイントがより高い７００メガヘルツ（ＭＨｚ）域（例えば、バンド１３）で周波数を割り当てることを、許容する。従って、１つの実例では、同時に送信される場合、そのような割当ての第２次高調波生成物（second harmonic order product）又はスペクトル・リグロース（spectral regrowth）がＧＰＳ信号に干渉を引き起こす可能性がある。他の実例では、アクセス・ポイントによって割り当てられた周波数は、他の諸技術と直接干渉し得る、第３次高調波生成物（third harmonic order product）において干渉し得る、及び／又は類似の干渉をし得る。
【発明の概要】
【０００６】
下記は、特許請求される主題の種々の態様の簡単化された概要を、そのような態様の基本的な理解を提供するために、提示する。この概要は全ての想定される態様の広範囲の概観ではないし、そのような態様の不可欠もしくは決定的に重要な諸要素を特定することも又そのような態様の範囲を正確に概説することも意図されていない。その唯一の目的は開示される態様のある幾つかの概念を、後に提示される更に詳細な説明への導入部として、簡単化された形で提示することである。
【０００７】
１又は複数の実施形態とその対応する開示によれば、種々の態様が、異種の諸通信技術を使用して通信する諸機器に干渉することを伴わない無線通信リソースを獲得および利用することを容易にすることに関連して、説明される。一実例では、異種の諸技術を使用して送信する機器と干渉する時、装置は送信電力を削減する若しくは消去することができる。他の実例では、該装置は、異種の諸技術に対する伝送が行われる期間、通報されるヘッドルームを調整することができる。これはアクセス・ポイントをして、異種の諸技術への干渉を緩和することができる低い帯域幅を、該装置に供給させることができる。
【０００８】
更に他の実例では、該装置は、例えば、１又は複数の異種の技術と干渉することのない周波数上でのアップリンク割当てを受領するための表示、該装置が１又は複数の異種の技術を介する通信を受信するための無線機を有するという表示、制限されるスケジューリングが要求される期間（例えば、明示的時間間隔（explicit time intervals）若しくは測定ギャップ（measurement gap））、及び／又は類似の情報、のような情報をアクセス・ポイントにシグナリングすることができる。アクセス・ポイントは、異種の諸技術を介する通信と干渉しないアップリンク周波数を供給することで、この情報を利用することができる。一実例では、アクセス・ポイントは、そのような情報を受信することなく、異種の技術を利用して通信する装置からの要求、及び／又は類似の情報に基づいて、そのような干渉のないアップリンクリソースを供給することができる。
【０００９】
関連する態様によれば、アクセス・ポイントからのリソース配分によって潜在的に干渉を受ける１又は複数の異種の技術に関する１又は複数のパラメータをアクセス・ポイントに供給することを含む方法が提供される。該方法は又該１又は複数のパラメータに応答して該アクセス・ポイントからリソース配分を受けることを含む。
【００１０】
他の態様は無線通信装置に関する。該無線通信装置は、アップリンクリソース配分期間中に割り当てることを避けるべき異種の通信技術に係るリソースを表示する、１又は複数のパラメータをアクセス・ポイントに伝送するために構成される少なくとも１つのプロセッサを含むことができる。該少なくとも１つのプロセッサは該１又は複数のパラメータを伝送することに係るリソース配分を該アクセス・ポイントから受領するために更に構成される。該無線通信装置は又該少なくとも１つのプロセッサに結合されるメモリを具備する。
【００１１】
また他の態様は装置に関する。該装置は、リソース配分期間中に、異種の通信技術との干渉を避けることに係る１又は複数のパラメータをアクセス・ポイントに通信するための手段を含む。該装置は該１又は複数のパラメータに応答して該アクセス・ポイントからリソース配分を受領するための手段を更に含む。
【００１２】
更に他の態様はコンピュータ・プログラム製品に係り、該プログラム製品は、アクセス・ポイントに対して、該アクセス・ポイントからのリソース配分によって干渉を受ける可能性がある１又は複数の異種の技術に関する１又は複数のパラメータを、少なくとも１つのコンピュータに供給させるためのコードを含む、コンピュータ可読媒体を有することができる。該コンピュータ可読媒体は又、該少なくとも１つのコンピュータに、該１又は複数のパラメータに応答して、該アクセス・ポイントからリソース配分を受領させるためのコードを具備することができる。
【００１３】
更に、追加の態様は、リソース配分期間中に、異種の通信技術との干渉を避けることに係る１又は複数のパラメータをアクセス・ポイントに通信する、パラメータ・シグナリング・コンポーネントを含む装置に係る。該装置は、該１又は複数のパラメータに応答して、該アクセス・ポイントからリソース配分を取得する、割当て受領コンポーネントを更に含むことができる。
【００１４】
更なる態様によれば、異種の通信技術に従って通信する機器と潜在的に干渉するリソース配分をアクセス・ポイントから受信することを含む方法が提供される。該方法は又、該リソース配分を利用することが該異種の通信技術に従って通信する該機器とその間では干渉する１又は複数の期間を決定すること、及び、該１又は複数の期間送信電力を低下させること、を含む。
【００１５】
他の態様は無線通信装置に係る。該無線通信装置は、異種の通信技術を使用して通信するために利用される１又は複数の周波数を含むリソース配分をアクセスポイントから取得するために構成される少なくとも１つのプロセッサを含むことができる。該少なくとも１つのプロセッサは、該異種の通信技術の機器がその間に通信する１又は複数の期間を判別するために、及び、該１又は複数の期間中該１又は複数の周波数に対する送信電力を低下させるために、更に構成される。
【００１６】
また他の態様は装置に係る。該装置は、異種の通信技術で通信のために利用される１又は複数の周波数に係るリソース配分をアクセスポイントから受信するための手段、及び１又は複数の機器が該異種の通信技術を使用してその間に通信する１又は複数の期間を決定するための手段、を含む。該装置は、該１又は複数の期間中、該１又は複数の周波数上の送信電力を低下させるための手段を更に含む。
【００１７】
更に他の態様はコンピュータ・プログラム製品に係り、該プログラム製品は、少なくとも１つのコンピュータに異種の通信技術に従って通信する機器と潜在的に干渉するリソース配分をアクセス・ポイントから受信させるためのコードを含む、コンピュータ可読媒体を有することができる。該コンピュータ可読媒体は、該少なくとも１つのコンピュータに、該リソース配分を利用することが該異種の通信技術に従って通信する該機器とその間では干渉する１又は複数の期間を決定させるためのコード、及び、該少なくとも１つのコンピュータに該１又は複数の期間中送信電力を低下させるためのコード、を更に具備することができる。
【００１８】
更に、追加の態様は、異種の通信技術で通信のために利用される１又は複数の周波数に係るリソース配分をアクセスポイントから取得する割当て受領コンポーネントを含む装置に係る。該装置は、１又は複数の機器が該異種の通信技術を使用してその間に通信する１又は複数の期間を決定する干渉検出コンポーネント、及び、該１又は複数の期間中、該１又は複数の周波数上の送信電力を低減させる電力削減コンポーネント、を更に含むことができる。
【００１９】
更に他の態様によれば、１又は複数の異種の通信技術で通信するために利用される１又は複数のリソースを決定すること、及び、該１又は複数のリソースとの干渉を緩和するリソース配分をモバイル装置のために生成すること、を含む方法が提供される。
【００２０】
他の態様は無線通信装置に係る。該無線通信装置は、１又は複数の異種の通信技術で通信するために利用されるリソースに関する１又は複数のパラメータを受領するために構成される少なくとも１つのプロセッサを含むことができる。該少なくとも１つのプロセッサは、該１又は複数のパラメータに少なくとも部分的に基づいて、モバイル装置のためにリソース配分を生成するように更に構成される。該無線通信装置は又該少なくとも１つのプロセッサに結合されるメモリを具備する。
【００２１】
また他の態様は装置に係る。該装置は、１又は複数の異種の通信技術によって通信するために利用されるリソースに関する、１又は複数のパラメータを受領するための手段を含む。該装置は、該１又は複数のパラメータに少なくとも部分的に基づいて、モバイル装置のためにリソース配分を生成するための手段を更に含む。
【００２２】
更に他の態様はコンピュータ・プログラム製品に係り、該プログラム製品は、少なくとも１つのコンピュータに、１又は複数の異種の通信技術で通信するために利用される、１又は複数のリソースを決定させるためのコードを含むコンピュータ可読媒体を有することができる。該コンピュータ可読媒体は又、該少なくとも１つのコンピュータに、該１又は複数のリソースとの干渉を緩和するリソース配分をモバイル装置のために生成させるためのコードを具備することができる。
【００２３】
更に、追加の態様は、１又は複数の異種の通信技術によって通信するために利用されるリソースに関する、１又は複数のパラメータを具備する信号をモバイル装置から取得する、パラメータ信号受信コンポーネントを含む装置に係る。該装置は、該１又は複数のパラメータに少なくとも部分的に基づいて、該モバイル装置のためにリソース配分を生成する、リソース割当てコンポーネントを更に含むことができる。
【００２４】
前述及び関係する目的の達成のために、前記１又は複数の実施形態は下記に完全に説明されそして請求項において特別に指摘される諸特徴を具備する。下記の説明と添付図は前記１又は複数の実施形態のある一定の例示的態様を詳細に説明する。これ等の態様は、しかしながら、種々の実施形態の諸原理がそれにより利用されることが可能な種々の方法の内の単なる数例を示すにすぎない、そして、該説明される態様は全てのこのような態様およびそれ等の同等物を含むように意図される。
【図面の簡単な説明】
【００２５】
【図１】図１は無線通信のリソースを割り当てるに際して異種の通信技術への干渉を緩和するためのシステムのブロック図である。
【図２】図２は無線通信環境内における利用のための実例の通信装置の例示図である。
【図３】図３はアップリンクのリソース割当てにおいて他の技術への干渉を緩和することを達成する実例の無線通信ネットワークを例示する。
【図４】図４は異種の通信技術に関する供給された情報に従うリソース配分を受領する実例の方法の流れ図である。
【図５】図５は異種の通信技術と潜在的に干渉するリソース上の電力を削減する実例の方法の流れ図である。
【図６】図６は異種の通信技術との干渉を緩和するリソース配分を供給するための実例の方法の流れ図である。
【図７】図７は異種の通信技術の干渉を緩和することに関連するリソース配分を受領する実例の装置のブロック図である。
【図８】図８は、異種の通信技術の伝送によって占有される期間中、送信電力を低減することを容易にする実例の装置のブロック図である。
【図９】図９は異種の通信技術との干渉を緩和するリソースを配分する実例の装置のブロック図である。
【図１０】図１０は前記説明された機能の種々の態様を実現するために利用されることができる実例の無線通信装置のブロック図である。
【図１１】図１１は前記説明された機能の種々の態様を実現するために利用されることができる実例の無線通信装置のブロック図である。
【図１２】図１２は本明細書で説明される種々の態様に従う実例の無線多元接続通信システムを例示する。
【図１３】図１３は本明細書で説明される種々の態様が機能することができる実例の無線通信システムを例示するブロック図である。
【詳細な説明】
【００２６】
請求される主題の種々の態様が図面を参照して今ここに説明される。図面では同じ参照番号は全体に亘って同じ要素を指すために使用される。下記の説明では、説明の目的のために、多くの具体的な詳細が１又は複数の態様の完全な理解を提供するために説明される。しかしながら、そのような（諸）態様はこれ等の具体的な詳細がなくても実現されることが可能であることは明らかであると云える。他の例では、周知の構成及び装置が１又は複数の態様を説明することを容易にするためにブロック図の形式で示される。
【００２７】
本願で使用されるように、用語“コンポーネント”、“モジュール”、“システム”及び同様な用語は、コンピュータ関連の構成要素、即ちハードウェア、ファームウェア、ハードウェアとソフトウェアの組合せ、ソフトウェア、或いは実行中のソフトウェアの何れか、を指すように意図される。例えば、コンポーネントはプロセッサ上で走る処理、集積回路、オブジェクト、実行ファイル、実行のスレッド、プログラム、及び／又はコンピュータであることができるが、これ等に限定されない。説明のために、計算装置上で走るアプリケーションと該計算装置は両者共にコンポーネントであることができる。１又は複数のコンポーネントが処理及び／又は実行のスレッド内に常駐できる、そして、あるコンポーネントは１つのコンピュータ上に局在させることができるし及び／又は２以上のコンピュータ間に分散させることもできる。更に、これ等のコンポーネントは種々のデータ構造を更にに格納させた種々のコンピュータ可読媒体から実行することができる。該コンポーネントは、例えば１又は複数のデータ・パケットを有する信号に従って局所及び／又は遠隔処理によって通信することができる（例えば、１つのコンポーネントからのデータは、該信号によって、局所システム、分散システム内の他のコンポーネントと、及び／又はインターネットのようにネットワークを横断して他のシステムと、相互作用する）。
【００２８】
更に、種々の態様は本明細書中で無線端末及び／又は基地局に関連して説明される。無線端末は利用者に音声接続及び／又はデータ接続を提供する装置を指すと言うことができる。無線端末は、ラップトップ（laptop）コンピュータ若しくはデスクトップ（desktop）コンピュータのような、計算装置に接続されることができる、又はそれは携帯情報端末（personal digital assistant）（ＰＤＡ）のような自己充足型装置であることができる。無線端末は又、システム、加入者ユニット、加入者局、移動局、モバイル、遠隔局、接続点、遠隔端末、接続端末、利用者端末、ユーザ・エージェント（user agent）、利用者装置、或いはユーザ・イクイップメント（user equipment）（ＵＥ）と呼ばれることもできる。無線端末は、加入者局、無線装置、セルラー電話、ＰＣＳ電話、コードレス（cordless）電話、セッション・イニシエーション・プロトコル（Session Initiation Protocol）（ＳＩＰ）電話、無線ローカル・ループ（wireless local loop）（ＷＬＬ）局、携帯情報端末（ＰＤＡ）、無線接続能力を備えたハンドヘルド（handheld）装置、或いは無線モデム（modem）に接続されるその他の処理装置、であることができる。基地局（例えば、アクセス・ポイント若しくはエボルブド・ノードＢ（Evolved Node B）（ｅＮＢ））は、１又は複数のセクタを通り無線インターフェースを通じて諸無線端末と通信する、アクセス・ネットワーク中の装置を指すことができる。基地局は、受信された無線インターフェース・フレームをＩＰパケットに変換することによって、無線端末とアクセス・ネットワークのその他の部分との間のルータとして働くことができる。該アクセス・ネットワークのその他の部分はインターネット・プロトコル（Internet Protocol）（ＩＰ）ネットワークを含むことができる。基地局は又該無線インターフェースに対する諸属性の管理を調整する。
【００２９】
更に、本明細書で説明される多様な機能はハードウェア、ソフトウェア、ファームウェア、又はこれ等の任意の組合せにおいて実装されることができる。もしソフトウェアで実装される場合、該諸機能は、コンピュータ可読媒体上の１又は複数の命令もしくはコードとして、記憶されるか或いは伝送されることができる。コンピュータ可読媒体は、コンピュータ記憶媒体と、１つの場所から他の場所へのコンピュータ・プログラムの伝送に資する任意の媒体を含む、通信媒体の双方を含む。記憶媒体はコンピュータによってアクセスされることができる任意の利用可能な媒体であることができる。制限としてではなく実例として、そのようなコンピュータ可読媒体は、ＲＡＭ、ＲＯＭ、ＥＥＰＲＯＭ、ＣＤ−ＲＯＭ若しくは他の光学ディスク・ストレージ（disk storage）、磁気ディスク・ストレージ若しくは他の磁気記憶装置、或いは、所望のプログラム・コードを命令もしくはデータ構造の形式で搬送もしくは記憶するために使用されることができる、及びコンピュータによってアクセスされることができる、任意の他の媒体、を含むことができる。又、任意の接続は適切にコンピュータ可読媒体と呼ばれる。例えば、もしソフトウェアがウェブサイト、サーバ、又は、他の遠隔情報源から、同軸ケーブル、光ファイバ・ケーブル、ツイスト・ペア（twisted pair）、デジタル加入者線（digital subscriber line）（ＤＳＬ）、又は、赤外線、無線波およびマイクロ波のような無線技術を使用して、伝送されるならば、その場合該同軸ケーブル、光ファイバ・ケーブル、ツイスト・ペア、ＤＳＬ、又は、赤外線、無線波およびマイクロ波のような無線技術は、媒体の定義中に含まれる。本明細書で使用される、ディスク（ｄｉｓｋ及びｄｉｓｃ）は、コンパクト・ディスク（ＣＤ）、レーザ・ディスク（登録商標）、光学ディスク、デジタル多用途ディスク（digital versatile disc）（ＤＶＤ）、フロッピー（登録商標）・ディスク及びブルーレイ・ディスク（ＢＤ）を含み、ここにｄｉｓｋは通常データを磁気的に再生し、そしてｄｉｓｃはデータをレーザを用いて光学的に再生する。上記の組合せも又コンピュータ可読媒体の範囲の中に含まれるべきである。
【００３０】
本明細書で説明される多様な技術は、例えば、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交周波数分割多元接続（Orthogonal Frequency Division Multiple Access）（ＯＦＤＭＡ）システム、単一キャリア（Single Carrier）ＦＤＭＡ（ＳＣ−ＦＤＭＡ）システム、及び他のそのようなシステムのような、種々の無線通信システムに対して使用されることができる。用語“システム”と“ネットワーク”は本明細書中でしばしば交換可能に使用される。ＣＤＭＡシステムは、例えばユニバーサル地上波無線アクセス（Universal Terrestrial Radio Access）（ＵＴＲＡ）、ＣＤＭＡ２０００等々のような、無線技術を実現することができる。ＵＴＲＡは広帯域ＣＤＭＡ（Wideband-CDMA）（Ｗ−ＣＤＭＡ）及びその他のＣＤＭＡの変型を含む。更に、ＣＤＭＡ２０００はＩＳ−２０００標準、ＩＳ−９５標準、及び、ＩＳ−８５６標準、をカバーする。ＴＤＭＡシステムはグローバル・システム・フォー・モバイル・コミュニケーションズ（Global system for Mobile communications）（ＧＳＭ（登録商標））のような無線技術を実現することができる。ＯＦＤＭＡシステムは、エボルブド（Evolved）ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ（Flash-）ＯＦＤＭ（登録商標）、等々を実現することができる。ＵＴＲＡとＥ−ＵＴＲＡはユニバーサル・モバイル・テレコミュニケーション・システム（Universal Mobile Telecommunication System）（ＵＭＴＳ）の一部である。Ｅ−ＵＴＲＡを使用する３ＧＰＰロング・ターム・エボリューション（Long Term Evolution）（ＬＴＥ）は近々リリース予定であって、Ｅ−ＵＴＲＡはダウンリンクにＯＦＤＭＡをアップリンクにＳＣ−ＦＤＭＡを利用する。ＵＴＲＡ、Ｅ−ＵＴＲＡ、ＵＭＴＳ、ＬＴＥ及びＧＳＭは“第３世代パートナーシップ・プロジェクト”（“3rd Generation Partnership Project”）（３ＧＰＰ）と呼ばれる組織からの資料に説明されている。更に、ＣＤＭＡ２０００とＵＭＢは“第３世代パートナーシップ・プロジェクト２”（“3rd Generation Partnership Project 2”）（３ＧＰＰ２）と呼ばれる組織からの資料に説明されている。
【００３１】
種々の態様が、多数の装置、コンポーネント、モジュール、及び類似の物を含むことができるシステムによって提示される。該種々のシステムは追加の装置、コンポーネント、モジュール、等々を含むことができる、及び／又は、諸図面に関連して議論される装置、コンポーネント、モジュール、等々を必ずしも全ては含まないこともできる、ということが理解そして認識されるべきである。これ等の手法の組合せも又使用されることができる。
【００３２】
ここで図面を参照すると、図１は、異種の通信技術との干渉を引き起こさずに、通信することを容易にする実例の無線ネットワーク１００を例示する。無線装置１０４と通信してそれに無線ネットワーク・アクセスを提供するアクセス・ポイント１０２が与えられる。アクセス・ポイント１０２は、マクロセル・アクセス・ポイント、フェムトセル若しくはピコセル・アクセス・ポイント、又は無線ネットワークへのアクセスを提供する実質的に任意の装置であることができる。無線装置１０４は、モバイル装置、モデム、及び／又は、異種のアクセス・ポイント、中継ノード、等々を含む、ネットワーク中で通信することができる実質的に任意の種類の装置であることができる。更に、ネットワーク１００は諸信号を送信する異種技術の送信機１０６を含み、該諸信号は異種技術の受信機１０８及び／又は無線装置１０４によって受信されることができる。例えば、異種技術の送信機１０６と異種技術の受信機１０８は、全地球測位システム（ＧＰＳ）技術、メディアフロー（MediaFLO）、地上波デジタルビデオ放送（ＤＶＢ−Ｔ）、ハンドヘルド向けデジタルビデオ放送（ＤＶＢ−Ｈ）、アドバンスト・テレビジョン・システム・コミッティー（advanced television systems committee）（ＡＴＳＣ）、マルチメディア・ブロードキャスト・マルチキャスト・サービス（ＭＢＭＳ）、ブルートゥース（Bluetooth）（登録商標）、無線ラン（ＷＬＡＮ）、ウルトラ・ワイドバンド（ultra-wideband）（ＵＷＢ）、アール・エフ・アイ・ディー（radio  -frequency identification）（ＲＦＩＤ）、又は実質的に任意の異種無線技術、を使用して通信することができる。
【００３３】
１つの実例によれば、アクセス・ポイント１０２は無線装置１０４にアップリンクを通じて通信するためのリソースを割り当てることができる。該リソースは、異種技術の送信機１０６と異種技術の受信機１０８との間の通信と、それ等が近隣にいる場合、干渉する（或いは、異種技術の受信機１０８から信号を受信する無線装置１０４、この場合該無線装置１０４は同じ場所に配置された無線機を装備されている、と干渉する）周波数に関連することがあり得る。例えば、異種技術の送信機１０６は異種技術の受信機１０８（及び／又は無線装置１０４）にＧＰＳ信号を指定周波数で通信することが出来、そして、アクセス・ポイント１０２はＧＰＳ信号と、直接または第ｎ次高調波生成物（例えば、この場合、ｎは２、３、…）若しくはスペクトル・リグロース上で、干渉するアップリンク周波数を該無線装置１０４に割り当てることができる。この例では、無線装置１０４は、異種技術の送信機１０６の伝送と干渉するアップリンク通信を送信する場合、該リソース上の出力電力を削減することができる。
【００３４】
１つの実例では、異種技術の送信機１０６はある複数の期間に亘って間欠的な信号を送信することが出来、そして、無線装置１０４は、異種技術の送信機１０６が送信している該複数の期間のみ、該周波数上の出力を削減することができる。これに関して、該無線装置１０４は、異種技術の送信機１０６からの信号を検出すること、ハードコーディング（hardcoding）、アクセス・ポイント１０２、異種技術の送信機１０６、異種技術の受信機、規格、設定、等々によって、異種技術の送信機１０６によって利用される技術に関する情報を、事前提供されること、何時信号が異種技術の送信機１０６によって送信されるか若しくは送信される予定かというような、異種技術の送信機１０６から信号を取得する同じ場所に配置された受信機からの通信情報を受信すること、及び／又は類似のプロセスに少なくとも部分的に基づいて、電力を削減すべき期間を決定することができる。例えば、該情報を事前提供されている場合、無線装置１０４は、異種技術の送信機１０６の送信との干渉を緩和するために所与のリソース上で電力を常に削減する、異種技術の送信機１０６からの送信が検出される及び／又は（例えば、送信された信号を受信することに基づいて後続の送信時間を計算することによって）予想されるリソース上でのみ電力を削減する、及び／又は類似の処理を行う、ことができる。
【００３５】
他の例では、無線装置１０４は、異種の通信技術及び／又はそれとの干渉を緩和することに関する情報を、該通信技術と干渉しない割当てを受領するために、アクセス・ポイント１０２にシグナリングすることができる。１つの実例では、アクセス・ポイント１０２は無線装置１０４から上記で説明された諸値を受信することが出来、そして、上記で説明されたように、電力を削減するために無線装置１０４にパラメータを送信することができる。その結果、電力決定の論理はアクセス・ポイント１０２で実行される。他の実例では、無線装置１０４は、該無線装置１０４が、直接又はスペクトル・リグロース若しくは高調波生成物で伝送される放射によって、異種技術の送信機１０６の送信に干渉することなく更にで送信することができる或いは出来ない、リソースに関する期間をアクセス・ポイント１０２にシグナリングすることが出来、そして、該アクセス・ポイント１０２はそれに応じて該無線装置１０４にこれ等のリソースをスケジューリングする若しくはスケジューリングすることを避けることができる。同様な実例では、無線装置１０４は異種技術の送信機１０６がその間送信する測定ギャップをシグナリングすることが出来、そして、アクセス・ポイント１０２は該ギャップ内にあるリソースを該無線装置１０４に割り当てることを避ける（又は、制限されたリソースを割り当てることができる）ことができる（又は、制限されたリソースを割り当てることができる）。
【００３６】
更に、例えば、アクセス・ポイント１０２は、異種技術の送信機１０６の送信と干渉するリソースを無線装置１０４にスケジューリングすることを、該無線装置１０４からのシグナリングを受信することなく、避けることができる。例えば、アクセス・ポイント１０２は、実質的にすべての無線機器に対して、本明細書で説明された割当てを実行することができる。他の実例では、アクセス・ポイント１０２は、無線装置１０４が異種技術の送信機１０６と干渉する若しくは干渉する可能性がある、という表示を（例えば、無線装置１０４から、該干渉される装置、信号測定、等々のような他の装置から）受信することが出来、そして、該無線装置１０４に比較的狭い帯域のアップリンク周波数（例えば、アクセス・ポイント１０２が潜在的に非干渉的なリソース上で配分するよりももっと狭い割当て）を割り当てることができる。更に、一実例では、アクセス・ポイント１０２は、低い通報されたヘッドルームを持つ機器に対しては、異種技術の送信機１０６によって利用されるリソース内の狭い帯域のリソースを割り当てることができる。これに関しては、該リソースが、該異種技術の送信機１０６の通信と、直接干渉する、或いは、より高次のスペクトル・リグロース若しくは高調波生成物（例えば、該リソース上で送信される信号に関する望まれない放射）において干渉する場合、該狭い帯域の割り当ては低減された干渉をもたらす。更に、これに関して、無線装置１０４は、異種技術の送信機１０６が送信する期間中は通報されたヘッドルームを調整して、アクセス・ポイント１０２からの低帯域幅の配分を受領することが出来て、該送信との干渉を避ける。
【００３７】
１つの実例では、無線装置１０４は、媒体アクセス制御（ＭＡＣ）層のシグナリングを利用して、アクセス・ポイント１０２に上記記載の種々の条件について通報することができる。例えば、無線装置１０４が干渉を受けるリソースに気付いている場合、無線装置１０４は何れのリソース（例えば、明示的期間、周波数、等々）が割当てを避けるべきかを表示するＭＡＣ信号をアクセス・ポイント１０２に送信することができる。説明されたように、これは１つの実例では測定ギャップであることが出来て、アクセス・ポイント１０２は該ギャップ内に生じるリソースを割り当てることを避けることができる（又は、制限されたリソースを割り当てることができる）。他の実例では、無線装置１０４は１又は複数の干渉を受ける通信技術を表示するＭＡＣ信号を生成することができる。該信号は無線装置１０４における通信技術のための同じ場所に配置された無線機に関する型、情報、等々から信号を検出することに少なくとも部分的に基づくことができる。該ＭＡＣ信号はアクセス・ポイント１０２に送信されることが出来て、何れにせよ、アクセス・ポイント１０２は異種の通信技術によって利用されるリソースに関してスケジューリングすることができる。前記型の情報のみが受信される場合でも、アクセス・ポイント１０２は該異種技術の送信機１０６とタイミングを同期させてアップリンクの割り当てに対して避けるべき期間を決定することができる、ということが認識されるべきである。更に、アクセス・ポイント１０２は規格に基づいて送信時間を計算することができる。１つの実例では、該異種の通信技術に対する規格は送信間隔を示すことが出来て、アクセス・ポイントは前回受信された送信に基づいて次の送信期間を計算することができる。同様に、無線装置１０４は、この機能を容易にするために、無線リソース制御（radio resources control）（ＲＲＣ）層のメッセージ、若しくは実質的に任意のメッセージ、をアクセス・ポイント１０２に送信することができる。
【００３８】
次に図２を参照すると、無線通信ネットワークに関与することができる通信装置２００が例示される。通信装置２００は、モバイル装置、アクセス・ポイント、それの一部、或いは無線ネットワークへのアクセスを受信することができる及び／又は無線ネットワーク内で信号を伝送することができる実質的に任意の装置、であることができる。通信装置２００は、１又は複数の異種の無線通信技術への干渉の潜在的存在、及び／又は、干渉が更にで生じているリソースを決定することができる干渉検出コンポーネント２０２、１又は複数のパラメータを通じて潜在的もしくは現に存在する干渉について１又は複数の異種のアクセス・ポイントに通報することができるパラメータ・シグナリング・コンポーネント２０４、及び、潜在的に又は実際に干渉されると判定されるリソース上の送信電力を低減させることができる電力削減コンポーネント２０６を含むことができる。
【００３９】
１つの実例によると、干渉検出コンポーネント２０２は無線ネットワーク中の異種の装置もしくはアクセス・ポイントと通信することが異種の技術を使用して通信する機器に干渉を引き起こす若しくは潜在的に引き起こすかどうかを判定することができる。例えば、干渉検出コンポーネント２０２はあるセットのリソース上の１又は複数の通信技術への潜在的干渉を常時判定することができる。他の実例では、干渉検出コンポーネント２０２は異種の通信技術を使用して通信する装置からの信号を検出すること、装置の存在についての通報を受信すること、及び／又は類似のプロセスに基づいて潜在的干渉を判定することができる。更に、例えば、干渉検出コンポーネント２０２は異種の通信技術を使用して通信する同じ場所に配置された無線機（図示されない）に少なくとも部分的に基づいて潜在的干渉を判定することができる。説明されたように、該干渉は、直接干渉またはスペクトル・リグロース若しくは高調波生成物における放射によって潜在的に引き起こされる干渉、に関係することができる。
【００４０】
更に、干渉検出コンポーネント２０２は、又、異種の通信技術との干渉が更にで生じ得るリソースを決定することができる。これは、例えば、該異種の通信技術の機器によって利用されるリソースに関する情報を（例えば、ハードコーディングで、設定情報で、該機器等々から）受領すること、該機器によって送信される信号からそのような情報を判別すること、及び／又は類似のプロセスに基づくことができる。ある複数の実例では、干渉検出コンポーネント２０２は、該機器とのタイミングを同期させて、該機器がその間に送信するリソース期間の適切な決定を確実にすることができる、ということが認識されるべきである。１つの実例では、干渉検出コンポーネント２０２は、（例えば、１又は複数の機器によって表示されるような、或いは、異種の通信技術を使用する装置からの信号を受信することから推量されるような）該機器がその間送信する時間間隔を受信すること、及び、該機器からの送信、該送信から後続の送信時間が該間隔に基づいて計算されることができる、を判別することのような、受信情報と測定情報双方に基づいて、該機器によって利用されるリソースを決定することができる。
【００４１】
一旦干渉検出コンポーネント２０２が、何れのリソースが異種の通信技術によって利用されるかを決定してしまうと、通信装置２００による伝送から該リソース上の干渉を緩和するために、種々の機構が利用されることができる。１つの実例では、パラメータ・シグナリング・コンポーネント２０４は、通信装置２００にリソースを割り当てるアクセス・ポイントに、該干渉に関する１又は複数のパラメータを送信することができる。そのようなパラメータは、例えば、所与の通信技術の同じ場所に配置された無線機の存在を含むことができる。他の実例では、該パラメータは、リソースを割り当てるに際してそれに対する干渉を避けるべき通信技術の表示、干渉が更にで生じることができる明示的リソース、その内部でリソースが割り当てられない（或いはリソース割当てが制限される）測定ギャップ、電力ヘッドルーム、及び／又は類似のパラメータ、を含むことができる。１つの実例では、電力ヘッドルームは、干渉検出コンポーネント２０２が更にで潜在的干渉もしくは現実の干渉を判定する、リソースに関して低減させられることができる。パラメータ・シグナリング・コンポーネント２０４は該削減されたヘッドルームの通報を送信することが出来て、該通報は該リソースにおける低帯域幅配分を引き起こし、干渉の蓋然性を緩和する。更に、ＭＡＣ、ＲＲＣ、若しくは実質的に任意の階層シグナリングがそのような機能を容易にするために利用されることができる、ということが認識されるべきである。
【００４２】
ここで図３を参照すると、異種の通信技術からの通信との干渉を緩和するためのリソースを割り当てること若しくは利用することを容易にする無線通信システム３００が例示される。アクセス・ポイント１０２は、説明されたように、実質的に任意の型の基地局もしくは、無線ネットワーク接続を提供する（独立に電力供給される機器ばかりでなく、例えば、モデムも含む）モバイル装置、及び／又はそれ等の一部であることができる。更に、無線装置１０４はモバイル装置もしくは無線ネットワーク接続を受信する他の装置であることができる。更に、システム３００はＭＩＭＯシステムであることができる、及び／又は、１又は複数の無線ネットワーク・システム規格（例えば、ＥＶ−ＤＯ、３ＧＰＰ、３ＧＰＰ２、３ＧＰＰ  ＬＴＥ、ＷｉＭＡＸ、等々）に準拠することができる。
【００４３】
アクセス・ポイント１０２は、異種技術の機器との干渉に関するパラメータを含む信号を諸装置から取得するパラメータ信号受信コンポーネント３０２、通信が該異種技術の機器に対して実際に若しくは潜在的に更に干渉しているリソースを判別することができる被干渉リソース判定コンポーネント３０４、及び干渉の情報に少なくとも部分的に基づいて諸装置にリソースを配分するリソース割当てコンポーネント３０６、を含むことができる。無線装置１０４は異種の通信技術の機器と通信する同じ場所に配置された無線機コンポーネント３０８、異種の通信技術を使用して通信する機器との潜在的もしくは実際の干渉を判定する干渉検出コンポーネント２０２、アクセス・ポイントにそのようなリソースに関するパラメータを表示することができるパラメータ・シグナリング・コンポーネント２０４、アップリンクデータを送信するためのリソース割当てを取得することができる割当て受信コンポーネント３１０、送信電力を低減することができる電力削減コンポーネント２０６、及び割り当てられたアップリンクリソース上で信号を送信することができる送信コンポーネント３１２、を含むことができる
１つの実例によれば、同じ場所に配置された無線機コンポーネント３０８は、上記記載の、ＧＰＳ、ブルートゥース（登録商標）、ＷＬＡＮのような、（図示されない）異種の通信技術の送信機から信号を受信することができる。他の実例では、無線装置１０４の近傍にある諸装置はそのような信号を受信することができる。何れにせよ、干渉検出コンポーネント２０２は、ある一定の配分可能なリソース上の通信が該異種の通信技術の送信機に干渉を実際に又は潜在的に引き起こすかどうか、を判定することができる。例えば、干渉検出コンポーネント２０２は、通信が該送信機と直接干渉するか、及び／又はスペクトル・リグロース若しくは高調波生成物における放射によって干渉するのかどうか、を判定することができる。１つの実例では、干渉検出コンポーネント２０２は、該リソースで利用される周波数を高調波次数（harmonic order）（例えば、２、３、…）で乗算することに少なくとも部分的に基づいて、スペクトル・リグロース若しくは高調波生成物における潜在的干渉を検出することができる。もし高調波次数の周波数が該送信機の帯域内にあるならば、干渉検出コンポーネント２０２は（例えば、少なくとも該送信機によって利用される期間中）該高調波次数における該送信機への潜在的干渉を判定することができる。説明されるように、干渉検出コンポーネント２０２は、（例えば、該異種の通信技術の規格に従って）ハードコードされた情報、及び／又は（例えば、該同じ場所に配置された無線機コンポーネント３０８若しくはその他のコンポーネントにおいて）該送信機から受信される信号を解析すること、に基づいて該異種の通信技術によって利用されるリソースを決定することができる。従って、例えば、ＧＰＳ送信機は１又は複数の装置或いは同じ場所に配置された無線機コンポーネント３０８に信号を送信することができる。干渉検出コンポーネント２０２は、この実例では、一般的なＧＰＳ情報、該ＧＰＳ送信機から得られる信号、及び／又は類似の情報から、該ＧＰＳ信号を送信するために利用されるリソースを決定することができる。
【００４４】
例えば、干渉検出コンポーネント２０２は、ＧＰＳ送信に対しては約１．５ＧＨｚであるという、ハードコードされたさもなければ受信された情報に基づいて、周波数を決定することができる。他の実例では、干渉検出コンポーネント２０２は、更に或いはそれに代わって、通信技術を知ることなく受信された信号に基づいて周波数（及び／又は関連する送信期間）を決定することができる。該信号から、この代替例では、干渉検出コンポーネント２０２は通信技術を判別することが出来て、該異種の通信技術の後続の送信のために利用されることができるリソースを決定することを容易にする。送信のための期間及び／又は間隔は、１つの実例では、信号を受信することに少なくとも部分的に基づいても決定されることが出来、そして、後続の期間はＧＰＳ送信に対する既知の又は受信された時間間隔に少なくとも部分的に基づいて決定されることができる。
【００４５】
他の実例では、干渉検出コンポーネント２０２はＧＰＳに同期されることが出来て、ハードコードされた又は受信されたＧＰＳ規格情報に少なくとも部分的に基づいてＧＰＳ信号を送信するための期間を判別することができる。何れにせよ、同じ場所に配置された無線機コンポーネント３０８は無線装置１０４に異種通信技術の送信と時間同期させることが出来て、このことから干渉検出コンポーネント２０２はＧＰＳ信号のための送信期間をかなり精確に決定することができる。他の実例では、干渉検出コンポーネント２０２は、同じ場所に配置された無線機コンポーネント３０８と通信して、利用される周波数と時間リソース、次に期待される送信期間、及び／又は類似の情報のような、該送信機からの信号に関する情報、該信号は同じ場所に配置された無線機コンポーネント３０８によって既に受信された及び／又は処理されてしまったことがあり得る、を判定することができる。
【００４６】
異種の通信技術によって利用される又は潜在的に利用されるリソースに関する情報を取得した後、無線装置１０４は種々の方法で該リソースとの干渉を避けることができる。１つの実例では、パラメータ・シグナリング・コンポーネント２０４は該リソースに関する情報を具備する信号を生成してアクセス・ポイント１０２に送信することが出来て、その結果、アクセス・ポイント１０２は、直接またはスペクトル・リグロース若しくは高調波生成物において、該異種の通信技術と干渉しない（或いはより少ない干渉を与える）アップリンク通信リソースを無線装置１０４に割り当てる。ある一実例では、該信号は該異種の技術に関する諸パラメータを具備する、ＭＡＣ若しくはＲＲＣ層の信号、又は類似の信号、であることができる。１つの実例では、該諸パラメータは、該異種の通信技術が存在するという（例えば、無線装置１０４は該異種の通信技術の信号を受信する同じ場所に配置された無線機コンポーネント３０８を装備されているという、該異種の通信技術の機器によって送信される信号は無線装置１０４によって別な方法で検出されるという、等々の）表示であることができる。他の実例では、該パラメータは該異種の通信技術の信号を送信するために利用される周波数及び／又は期間に関連することができる。説明されたように、この情報は干渉検出コンポーネント２０２によって、同じ場所に配置された無線機コンポーネント３０８から、受信された信号を評価して、及び／又は類似の方法で、決定されることができる。更に他の実例では、該パラメータは、領域内の関連機器とのそして潜在的に干渉される異種の通信技術の表示と該異種の通信技術のために利用されるリソースに関する一部の情報、の双方を含むことができる。例えば、説明されたように、該信号は、無線装置１０４はＧＰＳを装備されている及び／又は、ＧＰＳ信号を受信しているという表示、並びに開始期間、を含むことができる。下記に説明されるように、この情報はＧＰＳ規格情報と結合されて、後続のＧＰＳ情報が何時そしてどんな周波数で送信されるかを決定することができる。
【００４７】
パラメータ信号受信コンポーネント３０２は異種の通信技術機器の通信に関するパラメータを具備する信号を無線装置１０４から取得することができる。干渉されるリソース決定コンポーネント３０４は、ある一定のリソース割当のために異種の通信技術機器への干渉が結果として生じるかどうかを判定するための諸パラメータを評価することができる。例えば、説明されたように、ある上位の７００ＭＨｚアップリンク送信割当ては、該アップリンク送信割当てがＧＰＳ信号の第２次高調波生成物若しくはスペクトル・リグロースに関係する場合、ＧＰＳ信号が送信される期間において、約１．５ＧＨｚで動作するＧＰＳと干渉することが可能である。パラメータ信号受信コンポーネント３０２が、無線装置１０４は同じ場所に配置されたＧＰＳ無線機を有する、ということを示すパラメータを取得する場合、例えば、干渉されるリソース決定コンポーネント３０４は、ＧＰＳ信号が該同じ場所に配置された無線機コンポーネント３０８によって更にで受信される、リソースを決定することができる。この実例では、アクセス・ポイント１０２はＧＰＳ同期されることが出来て、ＧＰＳ信号が、例えば、ＧＰＳ規格に基づいて更にで受信される期間を決定することができる。無線装置１０４にアップリンクリソースを割り当てる場合、リソース割当てコンポーネント３０６は干渉されるリソース決定コンポーネント３０４に相談して割当てを避けるべきリソースがあるかどうかを判別することができる。この実例では、干渉されるリソース決定コンポーネント３０４は、ＧＰＳ機器がその間信号を送信するある一定期間、上位７００ＭＨｚ周波数域の割当てを避けることを指示することができる（又は、説明されたように、上位７００ＭＨｚにおいて狭い帯域を配分することができる）。
【００４８】
しかしながら、信号のタイミングが取得可能ではない可能性があることが認識されるべきである。この実例では、干渉されるリソース決定コンポーネント３０４は、該通信技術に係る周波数リソースがあらゆる期間潜在的に干渉するとして処理されるべきであるということを決定することが出来て、リソース割当てコンポーネント３０６はアップリンクリソースを割り当てるに際してこの情報を利用することができる。他の実例では、説明されたように、パラメータ信号受信コンポーネント３０２は異種の通信技術によって利用される明示的周波数及び／又は期間を特定するパラメータを持つ信号を取得することができる。更に若しくはそれに代わって、該信号は、該異種の通信技術がその間に通信する測定ギャップを含むことができる。これ等の実例では、干渉されるリソース決定コンポーネント３０４は該情報に基づいて潜在的に干渉されるリソースを特定することが出来て、その結果、リソース割当てコンポーネント３０６はそのようなリソースを避けることができる、或いはさもなければ、該リソースと、直接またはスペクトル・リグロース若しくは高調波生成物において、干渉しないようにリソース割当てを仕立てることができる。更に、説明されたように、干渉されるリソース決定コンポーネント３０４は、無線装置１０４からシグナリングを受信することなく、むしろ、ハードコーディング、ネットワークの規格、ネットワークのコンポーネント、設定、干渉される装置、及び／又は類似の情報から、１又は複数の通信技術と潜在的に干渉するリソースを検出することができる。
【００４９】
何れにせよ、リソース割当てコンポーネント３０６は、干渉されるリソース決定コンポーネント３０４からの干渉されるリソースの指示に少なくとも部分的に基づいて、無線装置１０４のためにアップリンク通信リソースを配分することができる。例えば、これ等は、３ＧＰＰ  ＬＴＥネットワークにおける物理アップリンク制御チャネル（physical uplink control channel）（ＰＵＣＣＨ）リソース若しくは物理アップリンク共有チャネル（physical uplink shared channel）（ＰＵＳＣＨ）リソース、及び／又は類似のリソースであることができる。説明されたように、リソース割当てコンポーネント３０６は、異種の通信技術と干渉する若しくは潜在的に干渉する、リソースを割り当てることを避けることができる。例えば、リソース割当てコンポーネント３０６は、異種の通信技術がそれに対して直接干渉される又はスペクトル・リソース若しくは第２次、第３次等々の高調波生成物において干渉される、リソースを割り当てることを避けることができる。他の実例では、リソース割当てコンポーネント３０６は異種の通信技術と干渉する周波数スペクトル内のリソースを割り当てることができるが、無線装置１０４及び／又は他の無線機器に対して比較的狭い帯域の割当てを配分することができる。例えば、これは、１又は複数の異種の通信技術と干渉しないと判定されるリソースを使用するリソース割当てコンポーネント３０６からの一般的なリソース割当ての一部分であることができる。説明されたように、割当て帯域を狭くすることは、異種の通信技術への直接的干渉またはスペクトル・リグロース若しくは高調波生成物において引き起こされる干渉、を低減することができるということが認識されるべきである。リソース割当てコンポーネント３０６は該割当てを無線装置１０４に送信することが出来て、割当て受信コンポーネント３１０は該割当てを受信することができる。更に、送信コンポーネント３１２は該割当てに従ってアップリンク通信を送信することができる。
【００５０】
他の実例では、パラメータ・シグナリング・コンポーネント２０４はアクセス・ポイント１０２に電力ヘッドルームを報告することができる。この実例では、パラメータ信号受信コンポーネント３０２は該信号を受信することができる、そして、リソース割当てコンポーネント３０６は、前記のように、潜在的に干渉されるリソースに関して干渉されるリソース決定コンポーネント３０４に相談することに基づいて、リソースを割り当てることができる。低い電力ヘッドルームを報告する機器に対しては、リソース割当てコンポーネント３０６は、異種の通信技術の通信と潜在的に干渉するリソースを割り当てることを避けることができる。更に、この点については、パラメータ・シグナリング・コンポーネント２０４は、干渉検出コンポーネント２０２がその間は異種の通信技術への潜在的干渉があると判定する期間に対して、ヘッドルーム値を減らすことができる。この実例では、リソース割当てコンポーネント３０６は、異種の通信技術と潜在的に干渉する該期間中、無線装置１０４に対し狭い周波数帯の配分を供給する。
【００５１】
更に他の干渉回避の実例では、アクセス・ポイント１０２へのシグナリング・パラメータの代わりに又はそれに加えて、電力削減コンポーネント２０６は、異種の通信技術の機器と潜在的に若しくは実際に干渉すると判定されるリソース上で、送信電力を調整することができる。この実例では、電力削減コンポーネント２０６は、潜在的にもしくは実際に干渉するリソース上の最大送信電力を削減するために利用される追加の最大電力削減値（additional maximum power reduction value）（Ａ−ＭＰＲ）を、（例えば、アクセス・ポイント１０２からの命令で）受信する又は、さもなければ、決定することができる。更に、出力削減コンポーネント２０６は、上記の干渉検出コンポーネント２０２からの情報に基づいて、更にで電力を削減すべきリソースを決定することができる。加えて、しかしながら、そのようなリソースの情報はアクセス・ポイント１０２から受信されることができるが、該情報は、説明されたように、リソース割当てコンポーネント３０６に存在することができる。
【００５２】
ここで図４〜図６を参照すると、本明細書で説明される種々の方法に従って実行されることができる方法が例示される。説明の簡明を期するために、該方法は一連の動作として示されそして説明されるけれども、動作の順序によって制限されない、ということが理解されそして認識されるべきである、というのは、１又は複数の態様に従うと、ある複数の動作は、本明細書で示されそして説明される順序とは異なる順序で及び／又は他の動作と同時に行われることができるからである。例えば、当業者は、方法は、代替的に、状態遷移図におけるような、一連の相互に関係づけられる状態又は事象として表わされることができる、ということを理解しそして認識するであろう。更に、１又は複数の態様に従うと、方法を実行するためには、必ずしも全ての例示された動作が要求されなくても良い。
【００５３】
図４を参照すると、異種の通信技術に関連する１又は複数の供給されたパラメータに基づくリソース配分を受けるための方法４００が例示される。４０２では、アクセス・ポイントと通信するに際してそれと干渉することを避けるべき異種の通信技術が決定されることができる。説明されたように、該異種の通信技術は、同じ場所に配置された無線機を検出すること、異種の通信技術を使用して通信する機器からの１又は複数の信号（例えば、干渉を緩和するための要求、機器間で傍受される信号、等々）を受信すること、及び／又は類似の動作に基づいて決定される。４０４では、該異種の通信技術に関連する１又は複数のパラメータが該アクセス・ポイントに供給されることができる。例えば、該１又は複数のパラメータは、該異種の通信技術のリソースが避けられるべきであるということを表示する、該異種の通信技術のリソースを特定する、該異種の通信技術の機器がその間通信する測定ギャップを特定する、該異種の通信技術に関連する時間リソースのセットに対する低いヘッドルームの通報を含む、及び／又は類似の情報を含む、ことができる。４０６では、該アクセス・ポイントから、該１又は複数のパラメータに応答するリソース配分が受信されることができる。説明されたように、該配分は、該異種の通信技術によって利用されるリソースとは直接干渉しない又はスペクトル・リグロース若しくは高調波生成物において干渉しないリソース、そのような潜在的に干渉するリソース上の狭い周波数帯域、及び／又は類似のリソースを含むことができる。
【００５４】
図５に移ると、異種の通信技術を使用する機器と潜在的に干渉する配分されたリソース上で送信電力を削減することを容易にする方法５００が例示される。５０２では、ある異種の通信技術を使用して通信する機器と潜在的に干渉するリソース配分がアクセス・ポイントから受信されることができる。例えば、該リソース配分は、該異種の通信技術の機器によって利用されるリソース上でのアップリンク送信に関連することができる。５０４では、該配分を利用することが該異種の通信技術を使用して通信する機器とその間に亘り干渉する、１又は複数の期間が決定されることができる。該期間は、例えば、該異種の通信技術の通信を受信する同じ場所に配置された無線機から受信される情報、該機器から受信される（例えば、該期間を特定する、又は信号を傍受して関連する期間を決定する）１又は複数の信号、及び／又は類似の情報に基づいて、決定されることができる。５０６では、送信電力が、該異種の通信技術を利用する機器との干渉を緩和するために、該１又は複数の期間の間中低減されることができる。
【００５５】
ここで図６を参照すると、１又は複数の異種の通信技術との干渉を緩和することに少なくとも部分的に基づいて、モバイル装置に対しリソースを配分することを容易にする方法６００が例示される。６０２では、異種の通信技術で通信するために利用される１又は複数のリソースが決定されることができる。例えば、これは該１又は複数のリソース上の干渉を緩和するべきであることができる。１つの実例では、モバイル装置は、リソースを割り当てるに際してそのような諸リソースは避けられるべきであって、該リソースは規格に従って決定されることができる、という指示を提供することができる。他の実例では、モバイル装置は、例えば、避けられるべき実際のリソースの表示を提供すること、該モバイル装置へのリソース配分がその内部で避けられる又は制限されることができる測定ギャップを提供すること、などを行うことができる。６０４では、該１又は複数のリソースとの干渉を緩和するリソース配分がモバイル装置のために生成されることができる。これは、例えば、該諸リソースを全く避けること、該異種の通信技術によって利用される周波数を含むリソース配分を該異種の通信技術によって利用されない期間に亘ってのみ割り当てること、該異種の通信技術によって利用されるリソースにおける狭い周波数帯を割り当てること、及び／又は類似の割当て、を含むことができる。説明されたように、緩和されるべき干渉は、直接干渉またはスペクトル・リグロース若しくは高調波生成物における干渉、に関係することが可能である。直接干渉はリソース配分によって割り当てられる周波数及び／又は期間に基づいて決定されることが出来、そして、スペクトル・リグロース干渉もしくは高調波生成物干渉は、該周波数にスペクトル・リグロース若しくは高次波の次数を乗算して該スペクトル・リグロース若しくはより高い高次波における放射が該異種の通信技術によって利用される周波数と実質的に等しいかどうかを判定することに少なくとも部分的に基づいて、決定されることができる、ということが認識されるべきである。６０６では、該リソース配分が（例えば、アップリンク送信のために）該モバイル装置に提供されることができる。
【００５６】
本明細書記載の１又は複数の態様に従うと、潜在的に干渉される異種の通信技術のリソースを決定すること、そのような情報に基づいてリソース配分を生成すること、及び／又は類似の処理に関して推論が行われることができる、と云うことが認められる。本明細書で使用されるように、用語“推論すること”又は“推論”は、一般に、諸事象及び／又はデータを通じて獲得されるような観測情報の集合から、システム、環境、及び／又は利用者の状態を推理または推論する過程を指す。推論は特定の状況（context）又はアクションを識別するために用いられることができる、或いは、例えば、諸状態の確率分布を生成することができる。推論は確率的、―即ち、データと諸事象の考察に基づく、関心ある状態に関する確率分布の計算、であることができる。推論は又諸事象及び／又はデータの集合からより上位レベルの諸事象を構成するために用いられる技術を指すこともできる。このような推論は結果として、観測された諸事象及び／又は記憶された事象データの集合から、該諸事象が直近の時間的近接性において相互に関連付けられるか否かに関わらず、及び、該諸事象およびデータが１つの事象源およびデータ源から来たのかそれとも複数の源から来たのかに関わらず、新しい事象又はアクションの構成をもたらす。
【００５７】
図７を参照すると、異種の通信技術を使用して通信する機器に関して提供されたパラメータに少なくとも部分的に基づくリソース配分を受領するシステム７００が例示される。例えば、システム７００は基地局、モバイル装置、又は無線ネットワークへの接続を提供する他の装置の内部に少なくとも部分的に常駐することができる。システム７００は機能ブロックを含むものとして表わされるということが認められるべきであり、該機能ブロックはプロセッサ、ソフトウェア、或いはこれ等の組合せ（例えば、ファームウェア）によって実装される諸機能を表す機能ブロックであることができる。システム７００は、連携して動作することができる諸電気コンポーネントの論理的グループ化７０２を含む。例えば、論理的グループ化７０２はリソース配分の期間中異種の通信技術との干渉を避けることに関連する１又は複数のパラメータをアクセス・ポイントに通信するための電気コンポーネント７０４を含むことができる。例えば、説明されたように、該アクセス・ポイントはアップリンク通信リソースを割り当てるに際してこの情報を利用することができる。加えて、該諸パラメータは異種の通信技術を使用して通信する機器から受信される信号に基づくことが可能である。更に、論理的グループ化７０２は該１又は複数のパラメータに応答する該アクセス・ポイントからのリソース配分を受領するための電気コンポーネント７０６を含むことができる。説明されたように、該リソース配分は、該異種の通信技術を潜在的に干渉する諸リソース（又は、期間だけ）を避けること、そのようなリソース上での狭い帯域配分を含むこと、及び／又は同様のことが可能である。
【００５８】
更に、論理的グループ化７０２は異種の通信技術を使用して通信する同じ場所に配置された無線機の存在を判定するための電気コンポーネント７０８を含むことができる。従って、説明されたように、異種の通信技術に関連する該諸パラメータは該同じ場所に配置された無線機から決定される（例えば、該無線機から受信される、該同じ場所に配置された無線機の送信から観測される、等々）ことができる。更に、論理的グループ化７０２は該異種の通信技術を使用して通信する１又は複数の機器から１又は複数の信号を受信するための電気コンポーネント７１０を含むことができる。この点に関して、該１又は複数のパラメータは、説明されたように、該諸信号で受信される又は該諸信号に基づいて生成されることができる。論理的グループ化７０２は又、該異種の通信技術を使用して通信する１又は複数の機器からリソースのセットについての表示を受信するための電気コンポーネント７１２を含むことができる。
【００５９】
例えば、異種の通信技術の機器は、モバイル装置がリソースと干渉しないように要求すること、実際のリソースの表示を供給すること、及び／又は類似の対応を行うことができる。更に、論理的グループ化７０２は該異種の通信技術を使用して通信する機器の内の１又は複数から１又は複数の信号を受信することに少なくとも部分的に基づいて、リソースの該セットについての表示を生成するための電気コンポーネント７１４を含むことができる。論理的グループ化７０２は更に、説明されたように、同じ場所に配置された無線機のような、異種の通信技術を使用して通信するための電気コンポーネント７１６を含むことができる。加えて、システム７００は電気コンポーネント７０４、７０６、７０８、７１０、７１２、７１４、及び７１６と関連付けられる諸機能を実行するための命令を保持するメモリ７１８を含むことができる。メモリ７１８に対して外部にあるように図示されるけれども、電気コンポーネント７０４、７０６、７０８、７１０、７１２、７１４、及び７１６の内の１又は複数はメモリ７１８の内部に存在することができる、ということが理解されるべきである。
【００６０】
図８を参照すると、異種の通信技術を使用して通信する機器と潜在的に干渉する配分された諸リソースの上で送信電力を削減するシステム８００が例示される。例えば、システム８００は基地局、モバイル装置、等々の内部に少なくとも部分的に常駐することができる。システム８００は機能ブロックを含むものとして表わされることが認められるべきであり、該機能ブロックはプロセッサ、ソフトウェア、或いはこれ等の組合せ（例えば、ファームウェア）によって実装される諸機能を表す機能ブロックであることができる。システム８００は、連携して動作することができる諸電気コンポーネントの論理的グループ化８０２を含む。例えば、論理的グループ化８０２は異種の通信技術における通信のために利用される１又は複数の周波数に関連するリソース配分をアクセス・ポイントから受信するための電気コンポーネント８０４を含むことができる。更に、論理的グループ化８０２は１又は複数の機器が該異種の通信技術を使用してその間に亘り通信する１又は複数の期間を決定するための電気コンポーネント８０６を含むことができる。
【００６１】
説明されたように、１つの事例では、該異種の通信技術によって利用される該期間と周波数は、規格から、該異種の通信技術を使用して通信する機器から信号を受信することから、等々から決定されることができる。更に、論理的グループ化８０２は該１又は複数の期間の間該１又は複数の周波数上で送信電力を低減するための電気コンポーネント８０８を含む。１つの例では、該リソース上の干渉を除去するために、該期間の間中送信が取り消されることができる。更に、システム８００は電気コンポーネント８０４、８０６、及び８０８と関連付けられる諸機能を実行するための命令を保持するメモリ８１０を含むことができる。メモリ８１０に対して外部にあるように図示されるけれども、電気コンポーネント８０４、８０６、及び８０８の内の１又は複数はメモリ８１０の内部に存在することができる、ということが理解されるべきである。
【００６２】
図９を参照すると、異種の通信技術への干渉を緩和することに少なくとも部分的に基づいてモバイル装置へリソースを配分するシステム９００が例示される。例えば、システム９００は基地局、モバイル装置、等々の内部に少なくとも部分的に常駐することができる。システム９００は機能ブロックを含むものとして表わされることが認められるべきであり、該機能ブロックはプロセッサ、ソフトウェア、或いはこれ等の組合せ（例えば、ファームウェア）によって実装される諸機能を表す機能ブロックであることができる。システム９００は、連携して動作することができる諸電気コンポーネントの論理的グループ化９０２を含む。例えば、論理的グループ化９０２は１又は複数の異種の通信技術によって通信するために利用される諸リソースに関する１又は複数のパラメータを受信するための電気コンポーネント９０４を含むことができる。説明されたように、該諸パラメータは、（例えば、シグナリングを通じて）モバイル装置から、該異種の通信技術の機器から、規格もしくは設定から、及び／又は類似のものから、受領されることができる。
【００６３】
更に、論理的グループ化９０２は、１又は複数のパラメータに少なくとも部分的に基づいて、モバイル装置に対するリソース配分を生成するための電気コンポーネント９０６を含むことができる。説明されたように、該リソース配分は、該異種の通信技術のリソース（又は、スペクトル・リグロース若しくは高調波生成物において該異種の通信技術を潜在的に干渉するリソース）を避けること、該異種の通信技術の機器がその間に通信する測定ギャップを避けること、該異種の通信技術によって利用される周波数上での狭い帯域配分を含むこと、及び／又は類似の対応、が可能である。更に、システム９００は電気コンポーネント９０４と９０６に関連付けられる諸機能を実行するための命令を保持するメモリ９０８を含むことができる。メモリ９０８に対して外部にあるように図示されるけれども、電気コンポーネント９０４と９０６の内の１又は複数はメモリ９０８の内部に存在することができる、ということが理解されるべきである。
【００６４】
図１０は本明細書で説明される機能性の種々の態様を実施するために利用されるシステム１０００のブロック図である。１つの実例では、システム１０００は基地局またはｅＮＢ１００２を含む。例示されるように、ｅＮＢ１００２は１又は複数の受信（Ｒｘ）アンテナ１００６を通じて１又は複数のＵＥ１００４から信号を受信し、１又は複数の送信（Ｔｘ）アンテナ１００８を通じて１又は複数のＵＥ１００４に送信することができる。更に、ｅＮＢ１００２は受信アンテナ１００６から情報を受信する受信機１０１０を具備することができる。１つの実例では、受信機１０１０は受信された情報を復調する復調器（demodulator）（Ｄｅｍｏｄ）１０１２と機能的に関連付けられることができる。復調された情報は次にプロセッサ１０１４によって解析されることができる。プロセッサ１０１４はメモリ１０１６に結合されることが出来て、該メモリは、コード・クラスタ（code clusters）に関する情報、接続端末の割当て、それに関する参照表、ユニーク・スクランブル・シーケンス（unique scrambling sequence）、及び／又はその他適切な型の情報、を記憶することができる。１つの実例では、ｅＮＢ１００２は、方法４００、５００、６００及び／又はその他類似の且つ適切な方法、を実行するためにプロセッサ１０１４を利用することができる。ｅＮＢ１００２は又、（諸）送信アンテナ１００８を介する送信機１０２０による送信のための信号を多重化することができる、変調器１０１８を含むこともできる。
【００６５】
図１１は本明細書で説明される機能性の種々の態様を実施するために利用されることができる他のシステム１１００のブロック図である。１つの実例では、システム１１００は移動端末１１０２を含む。例示されるように、移動端末１１０２は１又は複数の基地局１１０４から信号を受信し、１又は複数のアンテナ１１０８を通じて１又は複数の基地局１１０４に送信することができる。更に、移動端末１１０２はアンテナ１１０８から情報を受信する受信機１１１０を具備することができる。１つの実例では、受信機１１１０は受信される情報を復調する復調器（Ｄｅｍｏｄ）１１１２と機能的に関連付けられることができる。復調された情報は次にプロセッサ１１１４によって解析されることができる。プロセッサ１１１４はメモリ１１１６に結合されることが出来て、該メモリ１１１６はデータ及び／又は移動端末１１０２に関するプログラム・コードを記憶することができる。更に、移動端末１１０２は、方法４００、５００、６００及び／又はその他類似の且つ適切な方法、を実行するためにプロセッサ１１１４を利用することができる。移動端末１１０２は又該説明された機能性を有効化するために前記の図面で説明された１又は複数のコンポーネントを利用することもできる。１つの実例では、該諸コンポーネントはプロセッサ１１１４によって実現されることができる。移動端末１１０２は又、（諸）アンテナ１１０８を介する送信機１１２０による送信のための信号を多重化することができる、変調器１１１８を含むこともできる。
【００６６】
ここで図１２を参照すると、無線多元接続通信システムの実例が種々の態様に従って提供される。１つの実例では、アクセス・ポイント１２００（ＡＰ）は複数のアンテナ・グループを含む。図１２に例示されるように、１つのアンテナ・グループはアンテナ１２０４と１２０６を含むことが出来、他のグループはアンテナ１２０８と１２１０を含むことが出来、そして他のグループはアンテナ１２１２と１２１４を含むことができる。各アンテナ・グループに対して図１２では唯２つのアンテナのみが示されるけれども、より多くの若しくはより少ないアンテナが各アンテナ・グループに対して利用されても良いということは認識されるべきである。他の実例では、接続端末１２１６はアンテナ１２１２及び１２１４と通信することができる。ここで、アンテナ１２１２及び１２１４は順方向リンク１２２０を通じて接続端末１２１６へ情報を送信し、逆方向リンク１２１８を通じて接続端末１２１６から情報を受信する。更に及び／又はそれに代わって、接続端末１２２２はアンテナ１２０６及び１２０８と通信することができる。ここで、アンテナ１２０６及び１２０８は順方向リンク１２２６を通じて接続端末１２２２へ情報を送信し、逆方向リンク１２２４を通じて接続端末１２２２から情報を受信する。周波数分割複信システムでは、通信回線１２１８、１２２０、１２２４及び１２２６は通信のために異なる周波数を使用することができる。例えば、順方向リンク１２２０は逆方向リンク１２１８によって使用される周波数とは異なる周波数を利用することができる。
【００６７】
それぞれのグループのアンテナ及び／又はアンテナが通信するように設計されている領域はアクセス・ポイントのセクタと呼ばれることができる。１つの態様に従うと、アンテナ・グループはアクセス・ポイント１２００によってカバーされる領域の内の一セクタ中の接続端末に通信するように設計されることができる。順方向リンク１２２０と１２２６を介する通信では、アクセス・ポイント１２００の送信アンテナは異なる接続端末１２１６と１２２２に対する順方向リンクの信号対雑音比を向上させるためにビームフォーミングを利用することができる。又、その通信範囲全体にランダムに散在させられる接続端末に送信するためにビームフォーミングを利用するアクセス・ポイントは、その接続端末全てに対して単一アンテナを通じて送信するアクセス・ポイントよりも、隣接セル中の接続端末に対しより少ない干渉をもたらす。
【００６８】
アクセス・ポイント、例えばアクセス・ポイント１２００、は端末と通信するために利用される固定局であることができて、基地局、ｅＮＢ、アクセス・ネットワーク、及び／又は他の適切な用語、と呼ばれることもできる。更に、接続端末、例えば接続端末１２１６若しくは１２２２、は移動端末、利用者装置、無線通信装置、端末、無線端末、及び／又は他の適切な用語、と呼ばれることもできる。
【００６９】
ここで図１３を参照すると、本明細書で説明される種々の態様がそこにおいて機能することができる、実例の無線通信システム１３００を例示するブロック図が提供される。１つの実例では、システム１３００は、送信機システム１３１０と受信機システム１３５０を含む、多入力多出力（multiple-input multiple-output）（ＭＩＭＯ）システムである。しかしながら、送信機システム１３１０及び／又は受信機システム１３５０は、例えば、（例えば、基地局上の）複数の送信アンテナが１又は複数のシンボル・ストリームを単一アンテナの装置（例えば、移動局）に送信することができる、多入力単一出力システムに適用されることもできる、ということが認識されるべきである。更に、本明細書記載の送信機システム１３１０及び／又は受信機システム１３５０の態様は単一出力から単一入力へのアンテナ・システムに関連して利用されることができる、ということが認識されるべきである。
【００７０】
１つの態様によれば、多数のデータ・ストリームのためのトラフィック・データが、送信機システム１３１０において、データ源１３１２から送信（transmit）（ＴＸ）データ・プロセッサ１３１４へ提供される。１つの実例では、その際、各データ・ストリームはそれぞれの送信アンテナ１３２４を通じて送信されることができる。更に、ＴＸデータ・プロセッサ１３１４は、符号化されたデータを供給するために、各それぞれ対応するデータ・ストリームに対して選択される特定の符号化方式に基づいて、各データ・ストリームのためのトラフィック・データをフォーマット（format）し、符号化し、そしてインターリーブ（interleave）することができる。１つの実例では、次に、各データ・ストリームに対する該符号化されたデータはＯＦＤＭ技術を使用してパイロット・データと多重化されることができる。該パイロット・データは、例えば、既知の方法で処理される既知のデータ・パターンであることができる。更に該パイロット・データは受信機システム１３５０においてチャネル応答を推定するために使用されることができる。送信機システム１３１０に戻って、各データ・ストリームに対して多重化されたパイロット・データと符号化されたデータは、変調シンボルを供給するために各それぞれ対応するデータ・ストリームに対して選択される特定の変調方式（例えば、ＢＰＳＫ、ＱＳＰＫ、Ｍ−ＰＳＫ、又はＭ−ＱＡＭ）に基づいて、変調（即ち、シンボル・マッピング）されることができる。１つの実例では、各データ・ストリームに対するデータ転送速度、符号化、及び変調はプロセッサ１３３０上で実行される及び／又はプロセッサ１３３０によって供給される諸命令によって決定されることができる。
【００７１】
次に、全てのデータ・ストリームに対する変調シンボルはＴＸプロセッサ１３２０に供給されることが出来て、該プロセッサ１３２０は（例えば、ＯＦＤＭのために）該変調シンボルを更に処理することができる。次に、ＴＸ  ＭＩＭＯプロセッサ１３２０はＮＴ個の変調シンボル・ストリームをＮＴ個のトランシーバ１３２２ａ〜１３２２ｔに供給することができる。１つの実例では、各トランシーバ１３２２はそれぞれのシンボル・ストリームを受領および処理して１又は複数のアナログ信号を供給することができる。次に、各トランシーバ１３２２は、該アナログ信号を更に調整（例えば、増幅、フィルタ処理、及びアップコンバート（upconvert））して、ＭＩＭＯチャネルを介する送信にとって適切な変調信号を供給することができる。従って、トランシーバ１３２２ａ〜１３２２ｔからのＮＴ個の変調シンボルは、次に、ＮＴ個のアンテナ１３２４ａ〜１３２４ｔからそれぞれ送信されることができる。
【００７２】
他の態様によれば、送信された変調信号は受信機システム１３５０においてＮＲ個のアンテナ１３５２ａ〜１３５２ｒによって受信されることができる。それぞれのアンテナ１３５２から受信された信号は、次に、それぞれ対応するトランシーバ１３５４に供給されることができる。１つの実例では、各トランシーバ１３５４はそれぞれの受信信号を調整（例えば、フィルタ処理、増幅、及びダウンコンバート（downconvert））し、該調整された信号をデジタル化してサンプルを供給することができる、そして次に、該サンプルを処理して対応する“受信された”シンボル・ストリームを供給する。次に、ＲＸ  ＭＩＭＯ／データ・プロセッサ１３６０は、特定の受信機処理技術に基づいて、ＮＲ個のトランシーバ１３５４からのＮＲ個の受信シンボル・ストリームを受領および処理して、ＮＴ個の“検出された”シンボル・ストリームを供給することができる。１つの実例では、それぞれの検出されたシンボル・ストリームは、対応するデータ・ストリームのために伝送された変調シンボルの推定である、諸シンボルを含むことができる。次に、ＲＸ  ＭＩＭＯ／データ  プロセッサ１３６０は、それぞれの検出されたシンボル・ストリームを復調、逆インターリーブ、及び復号することに少なくとも部分的によって、それぞれのシンボル・ストリームを処理して、対応するデータ・ストリームに対するトラフィック・データを復元することができる。このようにして、ＲＸ  ＭＩＭＯ／データ  プロセッサ１３６０による処理は、送信機システム１３１０におけるＴＸ  ＭＩＭＯプロセッサ１３２０とＴＸデータ・プロセッサ１３１４によって実行される処理に相補的であることができる。更に、ＲＸ  ＭＩＭＯ／データ  プロセッサ１３６０は処理されたシンボル・ストリームをデータ・シンク（data sink）１３６４に供給することができる。
【００７３】
１つの態様によれば、ＲＸ  ＭＩＭＯ／データ  プロセッサ１３６０によって生成されるチャネル応答推定は、受信機における空間／時間処理を実行するために、電力水準を調整するために、変調率または変調方式を変更するために、及び／又は他の適切な動作のために、使用されることができる。加えて、ＲＸ  ＭＩＭＯ／データ  プロセッサ１３６０は更に、例えば、検出されたシンボル・ストリームの信号対雑音および干渉比（signal-to-noise-and-interference ratios）（ＳＮＲｓ）のような、チャネル特性を推定することができる。次に、ＲＸ  ＭＩＭＯ／データ  プロセッサ１３６０は推定されたチャネル特性をプロセッサ１３７０に供給することができる。１つの実例では、ＲＸ  ＭＩＭＯ／データ  プロセッサ１３６０及び／又はプロセッサ１３７０は、更に、システムに対して“動作中の（operating）”ＳＮＲの推定を導出することができる。プロセッサ１３７０は、次に、チャネル状態情報（channel state information）（ＣＳＩ）を提供することが出来て、該チャネル状態情報は通信回線及び／又は受信されたデータ・ストリームに関する情報を具備することができる。この情報は、例えば、動作中のＳＮＲを含むことができる。次にＣＳＩはＴＸデータ・プロセッサ１３１８によって処理され、変調器１３８０によって変調され、トランシーバ１３５４ａ〜１３５４ｒによって調整され、そして送信機システム１３１０に返送されることができる。更に、受信機システム１３５０におけるデータ源１３１６はＴＸデータ・プロセッサ１３１８によって処理されるべき追加のデータを供給することができる。
【００７４】
送信機システム１３１０に戻ると、受信機システム１３５０からの変調された信号は次にアンテナ１３２４によって受信され、トランシーバ１３２２によって調整され、復調器１３４０によって復調され、そしてＲＸデータ・プロセッサ１３４２によって処理されて、受信機システム１３５０によって報告されたＣＳＩを復元することができる。１つの実例では、該報告されたＣＳＩは次にプロセッサ１３３０に供給され、そして、１又は複数のデータ・ストリームに対して使用されるべき、データ転送速度並びに符号化方式および変調方式を決定するために使用されることができる。該決定された符号化方式および変調方式は、次に、量子化のために及び／又は受信機システム１３５０への後の伝送における使用のために、トランシーバ１３２２に供給されることができる。更に及び／又はこれに代わって、該報告されたＣＳＩは、ＴＸデータ・プロセッサ１３１４及びＴＸ  ＭＩＭＯプロセッサ１３２０に対する種々の制御を生成するために、プロセッサ１３３０によって使用されることができる。他の実例では、ＣＳＩ及び／又はＲＸデータ・プロセッサ１３４２によって処理されるその他の情報はデータ・シンク１３４４に供給されることができる。
【００７５】
１つの実例では、送信機システム１３１０におけるプロセッサ１３３０と受信機システム１３５０におけるプロセッサ１３７０はそれ等のそれぞれのシステムにおける操作を命令する。加えて、送信機システム１３１０におけるメモリ１３３２と受信機システム１３５０におけるメモリ１３７２は、プロセッサ１３３０と１３７０によってそれぞれ使用される、プログラム・コードとデータのための記憶装置を提供することができる。更に、受信機システム１３５０では、種々の処理技術が、ＮＲ  個の受信された信号を処理するために使用されて、ＮＴ  個の送信されたシンボル・ストリームを検出することができる。これ等の受信機処理技術は空間受信機および時空間受信機処理技術を含むことが出来て、該技術は等化技術、及び／又は“連続ゼロ化／等化および干渉消去（successive nulling/equalization and interference cancellation）”受信機処理技術とも呼ばれることができる、該技術は又“連続干渉消去”又は“連続消去”受信機処理技術と呼ばれることもできる。
【００７６】
本明細書で説明された態様は、ハードウエア、ソフトウエア、ファームウエア、ミドルウエア、マイクロコード又はそれ等の任意の組合せにより実装されることができる、ということが理解されるべきである。システム及び／又は方法がソフトウエア、ファームウエア、ミドルウエア若しくはマイクロコード、プログラム・コード若しくはコード・セグメントの中に実装される場合、それ等は、記憶コンポーネントのような、機械可読媒体中に記憶されることができる。コード・セグメントは、プロシージャ（procedure）、関数、サブプログラム、プログラム、ルーチン、サブルーチン、モジュール、ソフトウエア・パッケージ、クラス、又は命令、データ構造もしくはプログラム・ステートメントの任意の組合せ、を表すことができる。コード・セグメントは、情報、データ、引数、パラメータ或いはメモリ内容を伝達及び／又は受信することにより、他のコード・セグメント又はハードウエア回路に結合されることができる。情報、引数、パラメータ、データ等々は、メモリ共有、メッセージ・パッシング、トークン・パッシング（token passing）、ネットワーク伝送等々を含む任意の適切な手段を使用して、伝達、転送又は送信されることが可能である。
【００７７】
ソフトウェアの実装に関しては、本明細書中で説明された諸技術は、本明細書中で説明された諸機能を実行するモジュール（例えば、プロシージャ（procedures）、関数、等々）を用いて実装されることができる。ソフトウェア・コードは、メモリ・ユニットの中に記憶され、そして、プロセッサにより実行されることができる。メモリ・ユニットは、プロセッサの内部又はプロセッサの外部に実装されることができる、後者の場合、メモリ・ユニットは当業者に公知の各種の手段を通じてプロセッサに通信上で結合されることができる。
【００７８】
上述で説明されてきた内容は１又は複数の態様の具体例を含む。無論、前述の態様を説明する目的のために、コンポーネント又は方法の全ての考え得る組合せを説明することは不可能である。しかし、当業者は種々の態様の多くの更なる組合せと置き換えが可能であることを認識することができる。従って、説明された態様は添付された請求項の精神と範囲の中に入る全てのその様な改変、修正および変型を含むと意図される。更に、用語“含む（include）”が詳細な説明或いは請求項で使用される範囲では、その用語は、“具備する（comprising）”が請求項中で移行語として使用されるときに解釈される場合の、用語“具備する（comprising）”と同様な意味において包含することを意図される。更に、詳細な説明或いは請求項で使用される、用語“ｏｒ（又は、或いは、若しくは）”は“ｎｏｎｅｘｃｌｕｓｉｖｅ  ｏｒ（非排他的ｏｒ）”であると意味される。
下記に、本願の出願時請求項１−５０に対応した記載が付記１−５０として表記される。
[付記１]アクセス・ポイントからのリソース配分によって潜在的に干渉される１又は複数の異種の通信技術に関する１又は複数のパラメータをアクセス・ポイントに供給すること、及び
該１又は複数のパラメータに応答して該アクセス・ポイントからリソース配分を受領すること
を具備する方法。
[付記２]該１又は複数のパラメータを供給することは、該１又は複数の異種の通信技術のそれぞれについての型を供給することを含む、付記１の方法。
[付記３]該１又は複数の異種の通信技術の内の少なくとも１つを使用して通信する同じ場所に配置された無線機の存在を判定することを更に具備し、該１又は複数の異種の通信技術のそれぞれについての該型を供給することは該同じ場所に配置された無線機の存在を判定することに少なくとも部分的に基づく、付記２の方法。
[付記４]該１又は複数の異種の通信技術の内の少なくとも１つを使用して通信する１又は複数の機器から信号を受信することを更に具備し、該１又は複数の異種の通信技術のそれぞれについての該型を該供給することは該１又は複数の機器から信号を受信することに少なくとも部分的に基づく、付記２の方法。
[付記５]該１又は複数のパラメータを供給することは、該１又は複数の異種の通信技術を用いる利用のために特定される、リソースのセットの表示を供給することを含む、付記１の方法。
[付記６]該１又は複数の異種の通信技術を使用して通信する１又は複数の機器から、リソースの該セットの表示を受信することを更に具備する、付記５の方法。
[付記７]該１又は複数の異種の通信技術を使用して通信する１又は複数の機器から受信される１又は複数の信号に少なくとも部分的に基づいて、リソースの該セットの該表示を生成することを更に具備する、付記５の方法。
[付記８]該１又は複数の異種の通信技術を使用して通信する同じ場所に配置された無線機によって利用されるリソースに少なくとも部分的に基づいて、リソースの該セットの表示を生成することを更に具備する、付記７の方法。
[付記９]該１又は複数のパラメータを供給することは、該１又は複数の異種の通信技術を使用する機器がその間信号を送信する測定ギャップを供給することを含む、付記１の方法。
[付記１０]該リソース配分を受領することは、該１又は複数の異種の通信技術に潜在的に干渉するリソース上の狭い帯域の配分を具備するリソース配分を受領することを含む、付記１の方法。
[付記１１]該１又は複数のパラメータを供給することは、該１又は複数の異種の通信技術の機器が通信している期間の間における低い電力ヘッドルームを該アクセス・ポイントに通報することを含む、付記１０の方法。
[付記１２]該１又は複数のパラメータを供給することは、全地球測位システム（global positioning system）（ＧＰＳ）に関する１又は複数のパラメータを、該アクセス・ポイントからのリソース配分がスペクトル・リグロース若しくは第２高次波次数においてＧＰＳ通信技術に潜在的に干渉する場合、供給することを含む、付記１の方法。
[付記１３]該１又は複数のパラメータを供給することは、ＭｅｄｉａＦＬＯ通信技術に関する１又は複数のパラメータを、該アクセス・ポイントからのリソース配分がＭｅｄｉａＦＬＯ通信に潜在的に干渉する場合、供給することを含む、付記１の方法。
[付記１４]該１又は複数のパラメータを供給することは、デジタル・ビデオ・ブロードキャスティングーハンドヘル（ＤＶＢ−Ｈ）通信技術に関する１又は複数のパラメータを、該アクセス・ポイントからのリソース配分がＤＶＢ−Ｈ通信に潜在的に干渉する場合、供給することを含む、付記１の方法。
[付記１５]無線通信装置であって、
アップリンクリソース配分の期間中割り当てることを避けるべき異種の通信技術に関するリソースを表示する１又は複数のパラメータをアクセス・ポイントに送信するように、及び
該アクセス・ポイントから該１又は複数のパラメータを送信することに関するリソース配分を受領するように、
構成された少なくとも１つのプロセッサと、
該少なくとも１つのプロセッサに結合されたメモリと、
を具備する無線通信装置。
[付記１６]該１又は複数のパラメータは該異種の通信技術の表示を含む、付記１５の無線通信装置。
[付記１７]リソース配分の期間中、異種の通信技術との干渉を避けることに関する１又は複数のパラメータをアクセス・ポイントに通信するための手段と、
該１又は複数のパラメータに応答して該アクセス・ポイントからリソース配分を受領するための手段と、
を具備する装置。
[付記１８]該１又は複数のパラメータは該異種の通信技術の表示を含む、付記１７の装置。
[付記１９]該異種の通信技術を使用して通信する同じ場所に配置された無線機の存在を判定するための手段を更に具備し、該表示は該同じ場所に配置された無線機の該存在を判定することに基づく、付記１８の装置。
[付記２０]該異種の通信技術を使用して通信する１又は複数の機器から１又は複数の信号を受信するための手段を更に具備し、該表示は該１又は複数の信号を受信することに基づく、付記１８の装置。
[付記２１]該１又は複数のパラメータは該異種の通信技術を使用して通信する機器によって利用されるリソースのセットを含む、付記１７の装置。
[付記２２]該異種の通信技術を使用して通信する１又は複数の機器からリソースの該セットの表示を受領するための手段を更に具備する、付記２１の装置。
[付記２３]コンピュータ・プログラム製品であって、
アクセス・ポイントからのリソース配分によって潜在的に干渉される１又は複数の異種の通信技術に関連する１又は複数のパラメータを、該アクセス・ポイントに対して、少なくとも１つのコンピュータに供給させるためのコードと、
該少なくとも１つのコンピュータに、該１又は複数のパラメータに応答して該アクセス・ポイントから、リソース配分を受領させるためのコードと、
を具備するコンピュータ可読媒体、
を具備するコンピュータ・プログラム製品。
[付記２４]該１又は複数のパラメータは該１又は複数の異種の通信技術のそれぞれの型を含む、付記２３のコンピュータ・プログラム製品。
[付記２５]リソース配分の期間中異種の通信技術との干渉を避けることに関する１又は複数のパラメータをアクセス・ポイントに通信する、パラメータ・シグナリング・コンポーネントと、
該１又は複数のパラメータに応答して該アクセス・ポイントからリソース配分を取得する割当て受領コンポーネントと、
を具備する装置。
[付記２６]該１又は複数のパラメータは該異種の通信技術の表示を含む、付記２５の装置。
[付記２７]該異種の通信技術を使用して通信する同じ場所に配置された無線機の存在を判定する干渉検出コンポーネントを更に具備し、該表示は該同じ場所に配置された無線機の該存在を判定することに基づく、付記２６の装置。
[付記２８]１又は複数の異種の通信技術で通信するために利用される１又は複数のリソースを決定することと、
該１又は複数のリソースとの干渉を緩和する、モバイル装置のためのリソース配分を生成することと、
を具備する方法。
[付記２９]該リソース配分を生成することは、該１又は複数のリソースとは異なるリソースのセットを該リソース配分のために選択することを含む、付記２８の方法。
[付記３０]該リソース配分を生成することは、該１又は複数のリソースにおいて且つ該１又は複数のリソースにおける期間とは異なる期間にわたって利用される周波数帯域上でリソースのセットを選択することを含む、付記２８の方法。
[付記３１]該リソース配分を該生成することは、該１又は複数のリソースを直接干渉する又はスペクトル・リグロース若しくは高調波生成物上で干渉する周波数帯のサブセット上で、狭い周波数帯配分を生成することを含む、付記２８の方法。
[付記３２]該１又は複数のリソースを決定することは、リソース配分を生成する場合、該１又は複数の異種の通信技術で通信するために使用されるリソースを避けるための要求を、該モバイル装置から、受領することを含む、付記２８の方法。
[付記３３]該１又は複数のリソースを決定することは、該１又は複数の異種の通信技術で通信するために利用される該１又は複数のリソースの表示を、該モバイル装置から、受領することを含む、付記２８の方法。
[付記３４]該１又は複数のリソースを決定することは、該１又は複数の異種の通信技術での通信がその間に行われる測定ギャップを該モバイル装置から受領することを含む、付記２８の方法。
[付記３５]該１又は複数のリソースを決定することは、該１又は複数のリソースに関連する期間における低いヘッドルームの通報を該モバイル装置から受領することを含み、そして、該リソース配分を生成することは、該期間中該モバイル装置に対して、該１又は複数のリソースに関連する周波数リソースの狭い帯域を配分することを含む、付記２８の方法。
[付記３６]該１又は複数の異種の通信技術の内の１つは全地球測位システム（global positioning system）（ＧＰＳ）技術、ＭｅｄｉａＦＬＯ技術、又は、デジタル・ビデオ・ブロードキャスティングーハンドヘルド（ＤＶＢ−Ｈ）技術である、付記２８の方法。
[付記３７]無線通信装置であって、
１又は複数の異種の通信技術で通信するために利用されるリソースに関する１又は複数のパラメータを受信するように、
該１又は複数のパラメータに少なくとも部分的に基づいてモバイル装置のためのリソース配分を生成するように、
構成された少なくとも１つのプロセッサと、
該少なくとも１つのプロセッサに結合されるメモリと、
を具備する、無線通信装置。
[付記３８]該少なくとも１つのプロセッサは、該１又は複数の異種の通信技術で通信するために利用されるリソースとは異なるリソースのセットを含むように該リソース配分を生成する、付記３７の無線通信装置。
[付記３９]該少なくとも１つのプロセッサは、該１又は複数の異種の通信技術で通信するために且つ該１又は複数の異種の通信技術によって利用される期間とは全く異なる期間上において通信するために利用されるリソースにおける１又は複数の周波数帯を含むように該リソース配分を生成する、付記３７の無線通信装置。
[付記４０]１又は複数の異種の通信技術によって通信するために利用されるリソースに関する１又は複数のパラメータを受信するための手段と、
該１又は複数のパラメータに少なくとも部分的に基づいてモバイル装置のためにリソース配分を生成するための手段と、
を具備する装置。
[付記４１]該リソース配分は、該１又は複数の異種の通信技術によって通信するために利用されるリソースとは異なるリソースのセットを含む、付記４０の装置。
[付記４２]該リソース配分は、該１又は複数の異種の通信技術によって通信するために利用されるリソースにおいて使用される周波数帯上にあり、且つ、該１又は複数の異種の通信技術によって通信するために利用されるリソースにおける期間とは異なる期間上にある、リソースのセットを含む、付記４０の装置。
[付記４３]該リソース配分は、該１又は複数の異種の通信技術での通信と潜在的に干渉するリソース中の周波数帯のサブセット上における狭い周波数帯の配分である、付記４０の装置。
[付記４４]該１又は複数のパラメータは該モバイル装置によって受信され、そして、該１又は複数の異種の通信技術によって利用されるリソースを避けるための要求を含む、付記４０の装置。
[付記４５]コンピュータ・プログラム製品であって、
１又は複数の異種の通信技術で通信するために利用される１又は複数のリソースを少なくとも１つのコンピュータに決定させるためのコードと、
該１又は複数のリソースとの干渉を緩和するモバイル装置のためのリソース配分を該少なくとも１つのコンピュータに生成させるためのコードと、
を具備するコンピュータ可読媒体、
を具備する、コンピュータ・プログラム製品。
[付記４６]該リソース配分は、該１又は複数のリソースとは異なるリソースのセットを含む、付記４５のコンピュータ・プログラム製品。
[付記４７]該リソース配分は、該１又は複数のリソースで利用される１又は複数の周波数帯上の且つ該１又は複数のリソース中の期間とは異なる期間上のリソースのセットを含む、付記４５のコンピュータ・プログラム製品。
[付記４８]１又は複数の異種の通信技術によって通信するために利用されるリソースに関する１又は複数のパラメータを含む信号をモバイル装置から取得するパラメータ信号受信コンポーネントと、
該１又は複数のパラメータに少なくとも部分的に基づいて該モバイル装置のためにリソース配分を生成するリソース割当てコンポーネントと、
を具備する装置。
[付記４９]該リソース配分は、該１又は複数の異種の通信技術によって通信するために利用されるリソースとは異なるリソースのセットを含む、付記４８の装置。
[付記５０]該リソース配分は、該１又は複数の異種の通信技術によって通信するために利用されるリソースで使用される周波数帯上の、且つ、該１又は複数の異種の通信技術によって通信するために利用される該リソース中の期間とは異なる期間上のリソースのセットを含む、付記４８の装置。
【図１】
0005313353.tif 000002
【図２】
0005313353.tif 000003
【図３】
0005313353.tif 000004
【図４】
0005313353.tif 000005
【図５】
0005313353.tif 000006
【図６】
0005313353.tif 000007
【図７】
0005313353.tif 000008
【図８】
0005313353.tif 000009
【図９】
0005313353.tif 000010
【図１０】
0005313353.tif 000011
【図１１】
0005313353.tif 000012
【図１２】
0005313353.tif 000013
【図１３】
0005313353.tif 000014